(57)【特許請求の範囲】
【請求項１】
固定盤の中央部分に固定磁石芯が回転盤軸と若干異なる位置になるように円弧状で同一周囲が同磁極からなる固定磁石を取り付けた固定盤、固定盤の中央部分に略楕円形状で同一周囲が同一磁極からなるの固定磁石を取り付けた固定盤、固定盤の中央部分に台形状で同一周囲が同一磁極からなる固定磁石を取り付けた固定盤、固定盤の中央部分に長方形状で同一周囲が同一磁極からなる固定磁石を取り付けた固定盤、又は固定盤の中央部分に同形同大である円形状の固定磁石を複数個同一磁極同士を互いに接合して同一周囲が同一磁極からなる構成で均等に並べて取り付けた固定盤の何れかの固定盤と、固定磁石の外側にあって回転盤軸と回転磁石芯が若干異なる位置になるように４分の１程度切り落とした略Ｃ字型で中央から左右は互いに異なる磁極からなる回転磁石を取り付けた回転盤を前記固定盤に回転可能に取り付けた回転盤とからなることを特徴とする磁気駆動装置。
【発明の詳細な説明】
【技術分野】
【０００１】
本発明は、磁気駆動における磁石の配置方法と磁気駆動装置に関する発明である。
【背景技術】
【０００２】
従来、世の中に存在するあらゆる装置または機器などは、電気やガス、ガソリン等を使用して駆動装置を駆動させており、電気においては水力、火力、風力、太陽光、原子力等を使用して発電し蓄電された電力を駆動装置に使用していた。
【０００３】
しかしながら、従来の電気やガス、ガソリン等を使用する駆動装置では、資源が限られており、電力においても電気を発生させる水量も地球温暖化により安定せず、火については火をおこす資源が限られ、風については広大な風力発電機構が必要となり、太陽光においても太陽光発電の装置が必要となり、原子力については危険性を伴うものであった。
【特許文献１】特開平０７−０３１１２８号公報
【発明の開示】
【発明が解決しようとする課題】
【０００４】
そこで、本発明は、電力等の資源を使用せずに駆動することができ、更にそこから電力を発電させることも、そのまま動力として使用することもできる磁気駆動装置における磁石の配置方法及び磁気駆動装置を提供することを目的とするものである。
【課題を解決するための手段】
【０００５】
本発明は、上記の課題を解決するために、回転磁石を取付け中央に回転盤軸を備えた回転盤と、固定磁石を取付け中央に前記回転盤軸を回転可能に取り付けることで回転盤と連結される固定盤とからなり、前記回転磁石及び固定磁石の配置関係により磁気駆動を可能とした磁気駆動装置の構成とした。例えば、固定盤の中央部分に固定磁石芯が回転盤軸と若干異なる位置になるように円弧状で同一周囲が同磁極からなる固定磁石を取り付けた固定盤、固定盤の中央部分に略楕円形状で同一周囲が同一磁極からなるの固定磁石を取り付けた固定盤、固定盤の中央部分に台形状で同一周囲が同一磁極からなる固定磁石を取り付けた固定盤、固定盤の中央部分に長方形状で同一周囲が同一磁極からなる固定磁石を取り付けた固定盤、又は固定盤の中央部分に同形同大である円形状の固定磁石を複数個同一磁極同士を互いに接合して同一周囲が同一磁極からなる構成で均等に並べて取り付けた固定盤の何れかの固定盤と、固定磁石の外側にあって回転盤軸と回転磁石芯が若干異なる位置になるように４分の１程度切り落とした略Ｃ字型で中央から左右は互いに異なる磁極からなる回転磁石を取り付けた回転盤を前記固定盤に回転可能に取り付けた回転盤からなることを特徴とする磁気駆動装置における磁石の配置方法の構成とした。
【発明の効果】
【０００６】
本発明の磁気駆動装置における磁石の配置方法及び磁気駆動装置は電力やガス、ガソリン等の資源を使用せずに駆動することができるため、資源を気にすることなく常に駆動させることができ環境に優しい。
【０００７】
また、磁気駆動装置から常に一定の電力を作りだすこともできるため、安定した電力供給をすることができ、電力不足を回避することができる。
【発明を実施するための最良の形態】
【０００８】
ガス、ガソリンやそれらから作りだしていた電力を使用せずに駆動し、更に電力を発生させることができる駆動装置という目的を、磁気駆動装置の磁石を効果的に配置することによって実現した。
【実施例１】
【０００９】
図１は本発明である磁気駆動における磁石の配置方法及び磁気駆動装置の磁石の配置状態を示した図である。
【００１０】
図１に示すように、本発明である磁気駆動装置における磁石の配置方法１は、固定盤２に固定磁石芯４ａが回転盤軸３ａと若干異なるように円弧状で同一周囲が同一磁極からなる固定磁石４を取り付けた固定盤２と、回転盤軸３ａと回転磁石芯５ａが若干異なる位置になるように４分の１程度切り落とした略Ｃ字型の回転磁石５を取り付けた回転盤３を前記固定盤２に回転可能に取り付けられた回転盤３とからなり、前記固定磁石４の一方の磁極（例えばＮ極）が、前記回転磁石５の内側にあり、且つ、固定磁石４の一方の磁極（例えばＮ極）が、回転磁石５と同じ高さに位置している。    
【００１１】
前記４分の１程度切り落とした略Ｃ字型の回転磁石５は中央から左右は互いに異なる磁極５ｂ、５ｃとなっており、また、円弧状の固定磁石４は中央から上下が互いに異なる磁極となっている。本発明を示す図１乃至図５では、特に白色の磁極をＳ極とし、斜線で塗られた磁極をＮ極としたが、特に限定はしていない。即ち、白色の磁極をＮ極とし、斜線で塗られた磁極をＳ極としても良い。
【００１２】
図１では、固定磁石４のＮ極側だけが回転磁石５の内側に位置し、更に回転磁石５と同じ高さに位置することを表しており、固定磁石４と回転磁石５をこのような位置関係にすることで回転盤３は反時計回りに回転し続けることができる。また、固定磁石４がＳ極側だけの場合は、回転盤３は時計回りに回転をする。
【実施例２】
【００１３】
図２は本発明である磁気駆動における磁石の配置方法及び磁気駆動装置の磁石の配置状態の第２実施例を示した図である。図２に示すように、本発明である磁気駆動装置における磁石の配置方法１ａは、前記磁石の配置方法１とほぼ同じである。
【００１４】
即ち、本発明である磁気駆動装置における磁石の配置方法１ａは、固定盤２の中央部分に略楕円形状で同一周囲が同一磁極からなる固定磁石４ｂを取り付けた固定盤２と、回転盤軸３ａと回転磁石芯５ａが若干異なる位置になるように４分の１程度切り落とした略Ｃ字型で中央から左右は互いに異なる磁極５ｂ、５ｃからなる回転磁石５を取り付けた回転盤３を前記固定盤２に回転可能に取り付けられた回転盤３とからなり、前記固定磁石４ｂの一方の磁極（例えばＮ極）が、前記回転磁石５の内側にあり、且つ、固定磁石４ｂの一方の磁極（例えばＮ極）が、回転磁石５と同じ高さに位置している。
【００１５】
図２に示すように、固定磁石４ｂのＮ極側だけが回転磁石５の内側に位置し、更に回転磁石５と同じ高さに位置することを表しており、固定磁石４ｂと回転磁石５をこのような位置関係にすることで回転盤３は反時計回りに回転し続けることができる。また、固定磁石４ｂがＳ極側だけの場合は回転盤３は時計回りに回転する。
【実施例３】
【００１６】
図３は本発明である磁気駆動における磁石の配置方法及び磁気駆動装置の磁石の配置状態の第３実施例を示した図である。図３に示すように、本発明である磁気駆動装置における磁石の配置方法１ｂは、前記磁石の配置方法１、１ａとほぼ同じである。
【００１７】
即ち、本発明である磁気駆動装置における磁石の配置方法１ｂは、固定盤２の中央部分に台形状で同一周囲が同一磁極からなる固定磁石４ｃを取り付けた固定盤２と、回転盤軸３ａと回転磁石芯５ａが若干異なる位置になるように４分の１程度切り落とした略Ｃ字型で中央から左右が違いに異なる磁極５ｂ、５ｃからなる回転磁石５を取り付けた回転盤３を前記固定盤２に回転可能に取り付けられた回転盤３とからなり、前記固定磁石４ｃの一方の磁極（例えばＮ極）が、前記回転磁石５の内側にあり、且つ、固定磁石４ｃの一方の磁極（例えばＮ極）が、回転磁石５と同じ高さに位置している。
【００１８】
図３に示すように、固定磁石４ｃのＮ極側だけが回転磁石５の内側に位置し、更に回転磁石５と同じ高さに位置することを表しており、固定磁石４ｃと回転磁石５をこのような位置関係にすることで回転盤３は反時計回りに回転し続けることができる。また、固定磁石４ｃがＳ極側だけの場合は回転盤３は時計回りに回転する。
【実施例４】
【００１９】
図４は本発明である磁気駆動における磁石の配置方法及び磁気駆動装置の磁石の配置状態の第４実施例を示した図である。図４に示すように、本発明である磁気駆動装置における磁石の配置方法１ｃは、前記磁石の配置方法１、１ａ、１ｂとほぼ同じである。
【００２０】
即ち、本発明である磁気駆動装置における磁石の配置方法１ｃは、固定盤２の中央部分に長方形状で同一周囲が同一磁極からなる固定磁石４ｄを取り付けた固定盤２と、回転盤軸３ａと回転磁石芯５ａが若干異なる位置になるように４分の１程度切り落とした略Ｃ字型で中央から左右が互いに異なる磁極５ｂ、５ｃからなる回転磁石５を取り付けた回転盤３を前記固定盤２に回転可能に取り付けられた回転盤３とからなり、前記固定磁石４ｄの一方の磁極（例えばＮ極）が、前記回転磁石５の内側にあり、且つ、固定磁石４ｄの一方の磁極（例えばＮ極）が、回転磁石５と同じ高さに位置している。
【００２１】
図４に示すように、固定磁石４ｄのＮ極側だけが回転磁石５の内側に位置し、更に回転磁石５と同じ高さに位置することを表しており、固定磁石４ｄと回転磁石５をこのような位置関係にすることで回転盤３は反時計回りに回転し続けることができる。また、固定磁石４ｄがＳ極側の場合は回転盤３は時計回りに回転する。
【実施例５】
【００２２】
図５は本発明である磁気駆動における磁石の配置方法及び磁気駆動装置の磁石の配置状態の第５実施例を示した図である。図５に示すように、本発明である磁気駆動装置における磁石の配置方法１ｄは、前記磁石の配置方法１、１ａ、１ｂ、１ｃとほぼ同じである。
【００２３】
即ち、本発明である磁気駆動装置における磁石の配置方法１ｄは、固定盤２の中央部分に同形同大で円形状の固定磁石４ｅを複数個同一磁極同士を互いに接合して同一周囲が同一磁極からなる構成で均等に並べて取り付けた固定盤２と、回転盤軸３ａと回転磁石芯５ａが若干異なる位置になるように４分の１程度切り落とした略Ｃ字型で中央から左右に互いに異なる磁極５ｂ、５ｃからなる回転磁石５を取り付けた回転盤３を前記固定盤２に回転可能に取り付けられた回転盤３とからなり、前記固定磁石４ｅの一方の磁極（例えばＮ極）が、前記回転磁石５の内側にあり、且つ、固定磁石４ｅの一方の磁極（例えばＮ極）が、回転磁石５と同じ高さに位置している。
【００２４】
図５に示すように、固定磁石４ｅのＮ極側だけが回転磁石５の内側に位置し、更に回転磁石５と同じ高さに位置することを表しており、固定磁石４ｅと回転磁石５をこのような位置関係にすることで回転盤３は反時計回りに回転し続けることができる。また、固定磁石４ｅがＳ極側だけの場合は、回転盤３は時計回りに回転する。
【実施例６】
【００２５】
図６は本発明である磁気駆動における磁石の配置方法及び磁気駆動装置の磁石の配置状態の第６実施例を示した図である。
【００２６】
図６に示すように、本発明である磁気駆動装置における磁石の配置方法６は、内部が中空である筒状で同一円周が同一磁極からなる固定磁石９を取り付けた固定盤７と、互いに異極である磁極１０ａ、１０ｂからなる磁石を異極同士を向かい合わせて扇状に複数個連結した回転磁石１０を回転磁石芯１０ｄが回転盤軸８ａと回転磁石１０との間の位置になるように取り付けた回転盤８とからなり、前記回転磁石１０が固定磁石９の内側にあり、且つ、固定磁石９の一方の極（例えばＮ極）が、回転磁石１０と同じ高さに位置している。
【００２７】
前記扇型の回転磁石１０は、互いに異極である磁極１０ａ、１０ｂからなる磁石を複数個連結して形成されており、扇の内側は磁極１０ａ、１０ｂ間の有無はこだわらず、外側は一方の磁石と他方の磁石の間に非磁性体１０ｃが挟まれている。また、回転磁石芯１０ｄは、回転磁石１０を円形に連結した際に表れる中心と等しく、回転磁石１０の外周面と回転磁石芯１０ｄを結んだ半径は、固定磁石９の内周面の半径よりも小さい。
【００２８】
固定磁石９は中央から上下が互いに異なる磁極となっており、前述の通り、本発明を示す図６乃至図２１では、特に白色の磁極をＳ極とし、斜線で塗られた磁極をＮ極としたが、特に限定はしていない。即ち、白色の磁極をＮ極とし、斜線で塗られた磁極をＳ極としても良い。
【００２９】
図６では、回転磁石１０は固定磁石９の内側且つ、固定磁石９のＮ極の位置と高さが同じであることを表しており、固定磁石９と回転磁石１０をこのような位置関係にすることで回転盤８は反時計回りに回転し続けることができる。また、固定磁石９の内側の円周がＳ極の場合は、回転盤８は時計回りに回転する。
【実施例７】
【００３０】
図７は本発明である磁気駆動における磁石の配置方法及び磁気駆動装置の磁石の配置状態の第７実施例を示した図である。図７に示すように、本発明である磁気駆動装置における磁石の配置方法６ａは、前記磁石の配置方法６とほぼ同じである。
【００３１】
即ち、本発明である磁気駆動装置における磁石の配置方法６ａは、内部が中空である筒状で同一円周が同一磁極からなる固定磁石９を取り付けた固定盤７と、表裏が異極の磁極１０ａ、１０ｂからなる磁石を異極同士を向かい合わせて扇状に非磁性体１０ｃにより複数個連結した回転磁石１０を回転磁石芯１０ｄと回転磁石１０との間に回転盤軸８ａが位置するように取り付けた回転盤８とからなり、前記回転磁石１０が固定磁石９の内側にあり、且つ、固定磁石９の一方の極（例えばＮ極）が、回転磁石１０と同じ高さに位置している。
【００３２】
前記扇型の回転磁石１０は、互いに異極である磁極１０ａ、１０ｂからなる磁石を異極同士を向かい合わせて複数個連結して形成されており、各磁石を非磁性体１０ｃで連結したため扇の外側は一方の磁石と他方の磁石の間が非磁性体１０ｃにより隣設していない。回転磁石芯１０ｄは、回転磁石１０を円形に連結した際に表れる中心と等しく、回転磁石１０の外周面と回転磁石芯１０ｄを結んだ半径は、固定磁石９の半径とほぼ同じである。
【００３３】
図７では、回転磁石１０は固定磁石９の内側且つ、固定磁石９のＮ極の位置と高さが同じであることを表しており、固定磁石９と回転磁石１０をこのような位置関係にすることで回転盤８は時計回りに回転し続けることができる。また、固定磁石９の内側の円周がＳ極の場合は、回転盤８は反時計回りに回転する。
【実施例８】
【００３４】
図８は本発明である磁気駆動における磁石の配置方法及び磁気駆動装置の磁石の配置状態の第８実施例を示した図である。図８に示すように、本発明である磁気駆動装置における磁石の配置方法６ｂは、前記磁石の配置方法６、６ａとほぼ同じである。
【００３５】
即ち、本発明である磁気駆動装置における磁石の配置方法６ｂは、内部が中空である筒状の同一円周が同一磁極からなる固定磁石９を取り付けた固定盤７と、表裏が異極の磁極１０ａ、１０ｂからなる磁石を異極同士を向かい合わせて湾曲した非磁性体１０ｃの両端に連結した回転磁石１０を回転磁石芯１０ｄが回転盤軸８ａと回転磁石１０との間の位置になるように取り付けた回転盤８とからなり、前記回転磁石１０が固定磁石９の内側にあり、且つ、固定磁石９の一方の極（例えばＮ極）が、回転磁石１０と同じ高さに位置している。
【００３６】
前記扇型の回転磁石１０は、互いに異極である磁極１０ａ、１０ｂからなる磁石を湾曲した非磁性体１０ｃの両端に連結して形成されている。回転磁石芯１０ｄは、回転磁石１０を円形に連結した際に表れる中心と等しく、回転磁石１０の外周面と回転磁石芯１０ｄを結んだ半径は、固定磁石９の内周面の半径よりも小さい。
【００３７】
図８では、回転磁石１０は固定磁石９の内側且つ、固定磁石９のＮ極の位置と高さが同じであることを表しており、固定磁石９と回転磁石１０をこのような位置関係にすることで回転盤８は反時計回りに回転し続けることができる。また、固定磁石９の内側の円周がＳ極の場合は回転盤８は時計回りに回転する。
【実施例９】
【００３８】
図９は本発明である磁気駆動における磁石の配置方法及び磁気駆動装置の磁石の配置状態の第９実施例を示した図である。図９に示すように、本発明である磁気駆動装置における磁石の配置方法６ｃは、前記磁石の配置方法６、６ａ、６ｂとほぼ同じである。
【００３９】
即ち、本発明である磁気駆動装置における磁石の配置方法６ｃは、内部が中空である筒状で同一円周が同一磁極からなる固定磁石９を取り付けた固定盤７と、互いに異極の磁極１０ａ、１０ｂからなる磁石を異極同士を向かい合わせて湾曲した非磁性体１０ｃの両端に連結した回転磁石１０を回転磁石芯１０ｄと回転磁石１０との間に回転盤軸８ａが位置するように取り付けた回転盤８とからなり、前記回転磁石１０が固定磁石９の内側にあり、且つ、固定磁石９の一方の極（例えばＮ極）が、回転磁石１０と同じ高さに位置している。
【００４０】
前記扇型の回転磁石１０は、互いに異極の磁極１０ａ、１０ｂからなる磁石を湾曲した非磁性体１０ｃの両端に連結して形成されている。回転磁石芯１０ｄは、回転磁石１０を円形に連結した際に表れる中心と等しく、回転磁石１０の外周面と回転磁石芯１０ｄを結んだ半径は、固定磁石９の半径とほぼ同じである。
【００４１】
図９では、回転磁石１０は固定磁石９の内側且つ、固定磁石９のＮ極の位置と高さが同じであることを表しており、固定磁石９と回転磁石１０をこのような位置関係にすることで回転盤８は時計回りに回転し続けることができる。また、固定磁石９の内側の円周がＳ極である場合は、回転盤８は反時計回りに回転する。
【実施例１０】
【００４２】
図１０は本発明である磁気駆動における磁石の配置方法及び磁気駆動装置の磁石の配置状態の第１０実施例を示した図である。図１０に示すように、本発明である磁気駆動装置における磁石の配置方法６ｄは、前記磁石の配置方法６〜６ｃとほぼ同じである。
【００４３】
即ち、本発明である磁気駆動装置における磁石の配置方法６ｄは、内部が中空である筒状で同一円周が同一磁極からなる固定磁石９を取り付けた固定盤７と、互いに異極の磁極１０ａ、１０ｂからなる磁石を異極同士を合わせて湾曲した非磁性体１０ｃの両端に連結した回転磁石１０を回転磁石１０と回転磁石芯１０ｄが回転軸８ａで区切った同一半円内に位置するように取り付けた回転盤８とからなり、前記回転磁石１０が固定磁石９の内側にあり、且つ、固定磁石９の一方の極（例えばＮ極）が、回転磁石１０と同じ高さに位置している。
【００４４】
前記扇型の回転磁石１０は、互いに異極の磁極１０ａ、１０ｂからなる磁石を湾曲した非磁性体１０ｃの両端に連結して形成されている。回転磁石芯１０ｄは、回転磁石１０を円形に連結した際に表れる中心と等しく、回転磁石１０の外周面と回転磁石芯１０ｄを結んだ半径は、固定磁石９の内周面の半径よりも小さい。
【００４５】
図１０では、回転磁石１０は固定磁石９の内側且つ、固定磁石９のＮ極の位置と高さが同じであることを表しており、更に回転磁石１０の外周面が回転盤８の中心側に向いており、内周面が回転盤８の外側を向いて取り付けられている。固定磁石９と回転磁石１０をこのような位置関係にすることで回転盤８は時計回りに回転し続けることができる。また、固定磁石９の内側の円周がＳ極の場合は、回転盤８は反時計回りに回転する。
【実施例１１】
【００４６】
図１１は本発明である磁気駆動における磁石の配置方法及び磁気駆動装置の磁石の配置状態の第１１実施例を示した図である。図１１に示すように、本発明である磁気駆動装置における磁石の配置方法６ｅは、前記磁石の配置方法６〜６ｄとほぼ同じである。
【００４７】
即ち、本発明である磁気駆動装置における磁石の配置方法６ｅは、内部が中空である筒状で同一円周が同一磁極からなる固定磁石９を取り付けた固定盤７と、上下に異極関係を備えた直方体状の回転磁石１０を回転磁石１０の左辺が回転盤８の直径上に重なり、回転磁石１０の一つの角が回転盤８の外周上になるように取り付けた回転盤８とからなり、前記回転磁石１０が固定磁石９の内側にあり、且つ、固定磁石９の一方の極（例えばＮ極）が、回転磁石１０の磁極（例えばＳ極）と同じ高さに位置している。
【００４８】
図１１では、回転磁石１０は固定磁石９の内側且つ、回転磁石１０のＳ極と固定磁石９のＮ極の位置と高さが同じであることを表している。固定磁石９と回転磁石１０をこのような位置関係にすることで回転盤８は時計回りに回転し続けることができる。また、図１１で固定磁石９の内側の円周がＳ極の場合は回転盤８は反時計回りに回転する。
【実施例１２】
【００４９】
図１２は本発明である磁気駆動における磁石の配置方法及び磁気駆動装置の磁石の配置状態の第１２実施例を示した図である。図１２に示すように、本発明である磁気駆動装置における磁石の配置方法６ｆは、前記磁石の配置方法６〜６ｅとほぼ同じである。
【００５０】
即ち、本発明である磁気駆動装置における磁石の配置方法６ｆは、内部が中空である筒状で同一円周が同一磁極からなる固定磁石９を取り付けた固定盤７と、両側に互いに異極の磁極１０ａ、１０ｂを備えた直方体状の回転磁石１０を回転磁石１０の互いに異極の磁極１０ａ、１０ｂの境界線が回転盤８の直径上に重なり、回転磁石１０の異極からなる両側の角が回転盤８の外周上になるように取り付けた回転盤８とからなり、前記回転磁石１０が固定磁石９の内側にあり、且つ、固定磁石９の一方の極（例えばＮ極）が、回転磁石１０と同じ高さに位置している。
【００５１】
図１２では、回転磁石１０は固定磁石９の内側で且つ、回転磁石１０と固定磁石９のＮ極の位置と高さが同じであることを表している。固定磁石９と回転磁石１０をこのような位置関係にすることで回転盤８は反時計回りに回転し続けることができる。また、図１２で固定磁石９の内側の円周がＳ極の場合は回転盤８は時計回りに回転する。
【実施例１３】
【００５２】
図１３は本発明である磁気駆動における磁石の配置方法及び磁気駆動装置の磁石の配置状態の第１３実施例を示した図である。図１３に示すように、本発明である磁気駆動装置における磁石の配置方法６ｇは、前記磁石の配置方法６〜６ｆとほぼ同じである。
【００５３】
即ち、本発明である磁気駆動装置における磁石の配置方法６ｇは、内部が中空である筒状で同一円周が同一磁極からなる固定磁石９を取り付けた固定盤７と、表裏が異極の磁極１０ａ、１０ｂを備えた平板状の磁石を複数枚異極同士を向かい合わせて連設した回転磁石１０を回転磁石１０の中央部が回転盤８の直径上に重なり、回転磁石１０の外側の異極からなる両側の角が回転盤８の外周上になるように取り付けた回転盤８とからなり、前記回転磁石１０が固定磁石９の内側にあり、且つ、固定磁石９の一方の極（例えばＮ極）が、回転磁石１０と同じ高さに位置している。
【００５４】
図１３では、回転磁石１０は固定磁石９の内側で且つ、回転磁石１０と固定磁石９のＮ極の位置と高さが同じであることを表している。固定磁石９と回転磁石１０をこのような位置関係にすることで回転盤８は反時計回りに回転し続けることができる。また、図１３で固定磁石９の内側の円周がＳ極の場合は、回転盤８は時計回りに回転する。
【実施例１４】
【００５５】
図１４は本発明である磁気駆動における磁石の配置方法及び磁気駆動装置の磁石の配置状態の第１４実施例を示した図である。図１４に示すように、本発明である磁気駆動装置における磁石の配置方法６ｈは、前記磁石の配置方法６〜６ｇとほぼ同じである。
【００５６】
即ち、本発明である磁気駆動装置における磁石の配置方法６ｈは、内部が中空である筒状で同一円周が同一磁極からなる固定磁石９を取り付けた固定盤７と、両端に互いに異極の磁極１０ａ、１０ｂを備えた横長の直方体状をした回転磁石１０を回転磁石１０の互いに異極の磁極１０ａ、１０ｂの境界線が回転盤８の直径上に重なり、回転磁石１０が回転盤８の一方の半円内の位置に取り付けた回転盤８とからなり、前記回転磁石１０が固定磁石９の内側にあり、且つ、固定磁石９の一方の極（例えばＮ極）が、回転磁石１０と同じ高さに位置している。
【００５７】
図１４では、回転磁石１０は固定磁石９の内側で且つ、回転磁石１０と固定磁石９のＮ極の位置と高さが同じであることを表している。固定磁石９と回転磁石１０をこのような位置関係にすることで回転盤８は反時計回りに回転し続けることができる。また、図１４で固定磁石９の内側の円周がＳ極の場合は回転盤８は時計回りに回転する。
【実施例１５】
【００５８】
図１５は本発明である磁気駆動における磁石の配置方法及び磁気駆動装置の磁石の配置状態の第１５実施例を示した図である。図１５に示すように、本発明である磁気駆動装置における磁石の配置方法６ｉは、前記磁石の配置方法６〜６ｈとほぼ同じである。
【００５９】
即ち、本発明である磁気駆動装置における磁石の配置方法６ｉは、内部が中空である筒状で同一が同一磁極からなる固定磁石９を取り付けた固定盤７と、上下に異極関係を備え左辺を傾斜面１０ｅとした回転磁石１０を回転磁石１０の右辺が回転盤８の直径上の近くに重なり、回転磁石１０の傾斜面の２つの角が回転盤８の外周面上の近くに位置するように取り付けた回転盤８とからなり、前記回転磁石１０が固定磁石９の内側にあり、且つ、固定磁石９の一方の極（例えばＮ極）が、回転磁石１０の磁極（例えばＳ極）と同じ高さに位置している。
【００６０】
図１５では、回転磁石１０は固定磁石９の内側で且つ、回転磁石１０のＳ極と固定磁石９のＮ極の位置と高さが同じであることを表している。固定磁石９と回転磁石１０をこのような位置関係にすることで回転盤８は時計回りに回転し続けることができる。また、図１５で固定磁石９の内側の円周がＳ極の場合は回転盤８は反時計回りに回転する。
【実施例１６】
【００６１】
図１６は本発明である磁気駆動における磁石の配置方法及び磁気駆動装置の磁石の配置状態の第１６実施例を示した図である。図１６に示すように、本発明である磁気駆動装置における磁石の配置方法６ｊは、前記磁石の配置方法６〜６ｉとほぼ同じである。
【００６２】
即ち、本発明である磁気駆動装置における磁石の配置方法６ｊは、内部が中空である筒状で同一円周が同一磁極からなる固定磁石９を取り付けた固定盤７と、上下に異極関係を備え左辺を傾斜面１０ｅとした回転磁石１０を回転磁石１０の右辺が回転盤８の直径上の近くに重なり、回転磁石１０の鋭角が回転盤８の外周面上に位置するように取り付けた回転盤８とからなり、前記回転磁石１０が固定磁石９の内側にあり、且つ、固定磁石９の一方の極（例えばＮ極）が、回転磁石１０の磁極（例えばＳ極）と同じ高さに位置している。
【００６３】
図１６では、回転磁石１０は固定磁石９の内側で且つ、回転磁石１０のＳ極と固定磁石９のＮ極の位置と高さが同じであることを表している。固定磁石９と回転磁石１０をこのような位置関係にすることで回転盤８は時計回りに回転し続けることができる。また、図１６で固定磁石９の内側の円周がＳ極の場合は回転盤８は反時計周りに回転する。
【実施例１７】
【００６４】
図１７は本発明である磁気駆動における磁石の配置方法及び磁気駆動装置の磁石の配置状態の第１７実施例を示した図である。図１７に示すように、本発明である磁気駆動装置における磁石の配置方法６ｋは、前記磁石の配置方法６〜６ｊとほぼ同じである。
【００６５】
即ち、本発明である磁気駆動装置における磁石の配置方法６ｋは、内部が中空である筒状で同一円周が同一磁極からなる固定磁石９を取り付けた固定盤７と、両端に互いに異極の磁極１０ａ、１０ｂを備えた略半円形状の回転磁石１０を回転磁石１０の中央部が回転盤８の直径上に重なり、回転磁石１０の内側が回転盤軸８ａの方向を向いた状態で取り付けた回転盤８とからなり、前記回転磁石１０が固定磁石９の内側にあり、且つ、固定磁石９の一方の極（例えばＮ極）が、回転磁石１０と同じ高さに位置している。
【００６６】
また、回転磁石１０は、回転磁石１０を円形とした場合の回転磁石芯１０ｄが回転磁石１０と回転盤軸８ａの間にあるように取り付けられている。
【００６７】
図１７では、回転磁石１０は固定磁石９の内側で且つ、回転磁石１０と固定磁石９のＮ極の位置と高さが同じであることを表している。固定磁石９と回転磁石１０をこのような位置関係にすることで回転盤８は反時計回りに回転し続けることができる。また、固定磁石９の内側の円周がＳ極の場合は回転盤８は時計回りに回転する。
【実施例１８】
【００６８】
図１８は本発明である磁気駆動における磁石の配置方法及び磁気駆動装置の磁石の配置状態の第１８実施例を示した図である。図１８に示すように、本発明である磁気駆動装置における磁石の配置方法６ｌは、前記磁石の配置方法６〜６ｋとほぼ同じである。
【００６９】
即ち、本発明である磁気駆動装置における磁石の配置方法６ｌは、内部が中空である筒状で同一円周が同一磁極からなる固定磁石９を取り付けた固定盤７と、両側に互いに異極の磁極１０ａ、１０ｂを備えた略半円形状の回転磁石１０を回転磁石１０の中央部が回転盤８の直径上に重なり、回転磁石１０の内側が回転盤軸８ａの方向を向いた状態で取り付けた回転盤８とからなり、前記回転磁石１０が固定磁石９の内側にあり、且つ、固定磁石９の一方の極（例えばＮ極）が、回転磁石１０と同じ高さに位置している。
【００７０】
また、回転磁石１０は、回転磁石１０を円形とした場合の回転磁石芯１０ｄと回転磁石１０の間に回転盤軸８ａがあるように取り付けられている。
【００７１】
図１８では、回転磁石１０は固定磁石９の内側で且つ、回転磁石１０と固定磁石９のＮ極の位置と高さが同じであることを表している。固定磁石９と回転磁石１０をこのような位置関係にすることで回転盤８は時計回りに回転し続けることができる。また、固定磁石９の内側の円周がＳ極の場合は、回転盤８は反時計回りに回転する。
【実施例１９】
【００７２】
図１９は本発明である磁気駆動における磁石の配置方法及び磁気駆動装置の磁石の配置状態の第１９実施例を示した図である。図１９に示すように、本発明である磁気駆動装置における磁石の配置方法６ｍは、前記磁石の配置方法６〜６ｌとほぼ同じである。
【００７３】
即ち、本発明である磁気駆動装置における磁石の配置方法６ｍは、内部が中空である筒状で同一円周が同一磁極からなる固定磁石９を取り付けた固定盤７と、両端に互いに異極の磁極１０ａ、１０ｂを備えた略Ｕ字型の回転磁石１０を回転磁石１０の中央部が回転盤軸８ａ上の近くに重なり、回転磁石１０の両端が固定磁石９の内側の周囲を向いた状態で取り付けた回転盤８とからなり、前記回転磁石１０が固定磁石９の内側にあり、且つ、固定磁石９の一方の極（例えばＮ極）が、回転磁石１０と同じ高さに位置している。
【００７４】
図１９では、回転磁石１０は固定磁石９の内側で且つ、回転磁石１０と固定磁石９のＮ極の位置と高さが同じであることを表している。固定磁石９と回転磁石１０をこのような位置関係にすることで回転盤８は時計回りに回転し続けることができる。また、図１９で固定磁石９の内側の円周がＳ極の場合は、回転盤８は反時計回りに回転する。
【実施例２０】
【００７５】
図２０は本発明である磁気駆動における磁石の配置方法及び磁気駆動装置の磁石の配置状態の第２０実施例を示した図である。図２０に示すように、本発明である磁気駆動装置における磁石の配置方法６ｎは、前記磁石の配置方法６〜６ｍとほぼ同じである。
【００７６】
即ち、本発明である磁気駆動装置における磁石の配置方法６ｎは、内部が中空である筒状で同一円周が同一磁極からなる固定磁石９を取り付けた固定盤７と、同形同大で表裏が異極の磁極１０ａ、１０ｂからなる円形の磁石を同数個並べて互いの異極の磁極１０ａ、１０ｂが左右で異極同士になるように同数個ずつ円弧状に並べた回転磁石１０を回転盤８の外周面近くに取り付けた回転盤８とからなり、前記回転磁石１０が固定磁石９の内側にあり、且つ、固定磁石９の一方の極（例えばＮ極）が、回転磁石１０と同じ高さに位置している。
【００７７】
図２０では、回転磁石１０は固定磁石９の内側で且つ、それぞれの回転磁石１０と固定磁石９のＮ極の位置と高さが同じであることを表している。固定磁石９と回転磁石１０をこのような位置関係にすることで回転盤８は反時計回りに回転し続けることができる。また、図２０で固定磁石９の内側の円周がＳ極の場合は回転盤８は時計回りに回転する。
【実施例２１】
【００７８】
図２１は本発明である磁気駆動における磁石の配置方法及び磁気駆動装置の磁石の配置状態の第２１実施例を示した図である。図２１に示すように、本発明である磁気駆動装置における磁石の配置方法６ｏは、前記磁石の配置方法６〜６ｎとほぼ同じである。
【００７９】
即ち、本発明である磁気駆動装置における磁石の配置方法６ｏは、内部が中空である筒状で同一円周が同一磁極からなる固定磁石９を取り付けた固定盤７と、同一周囲が同一磁極からなる略半円形状の回転磁石１０を回転磁石１０の両端を結ぶ線が回転盤軸８ａから下方に垂直に下ろした経線と平行関係にあり、且つ回転盤軸８ａから下方に垂直に下ろした経線が回転磁石１０の左側に有る状態で取り付けた回転盤８とからなり、前記回転磁石１０が固定磁石９の内側にあり、且つ、固定磁石９の一方の極（例えばＮ極）が、回転磁石１０の磁極（例えばＳ極）と同じ高さに位置している。
【００８０】
図２１では、回転磁石１０は固定磁石９の内側で且つ、回転磁石１０と固定磁石９のＮ極の位置と高さが同じであることを表している。固定磁石９と回転磁石１０をこのような位置関係にすることで回転盤８は反時計回りに回転し続けることができる。また、図２１で固定磁石９の内側の円周がＳ極の場合は回転盤８は時計回りに回転する。
【実施例２２】
【００８１】
図２２は本発明である磁気駆動における磁石の配置方法及び磁気駆動装置の磁石の配置状態の第２２実施例を示した図である。
【００８２】
図２２に示すように、本発明である磁気駆動装置における磁石の配置方法１１は、平板の円盤状で一方の面が同一磁極からなる固定磁石１４を取り付けた固定盤１２と、表裏が異極の磁極１５ａ、１５ｂからなる板状磁石を複数個異極同士を向かい合わせて非磁性体１５ｃを介して扇状に連結した回転磁石１５を回転磁石芯１５ｄが回転盤軸１３ａと回転磁石１５の間にあるように取り付けた回転盤１３とからなり、前記回転磁石１５が固定磁石１４の下側に位置している。
【００８３】
前記扇型の回転磁石１５は、表裏異極の磁極１５ａ、１５ｂからなる板状磁石を複数個異極同士を向かい合わせて非磁性体１５ｃを介し扇状に連結して形成されており、各磁石間は非磁性体１５ｃにより隣接していない。また、回転磁石芯１５ｄは、回転磁石１５を円形に連結した際に表れる中心と等しく、回転磁石１５の外周面と回転磁石芯１５ｄを結んだ半径は、固定磁石１４の半径よりも小さい。
【００８４】
固定磁石１４は上下が互いに異なる磁極となっている。従って固定磁石１４の一方の面は同一磁極になっており、本発明を示す図２２乃至図３８では、回転磁石１５については白色の磁極をＳ極とし、斜線で塗られた磁極をＮ極とし、固定磁石１４については回転磁石１５に面する面をＮ極としたが、特に限定はしていない。即ち、回転磁石１５の白色の磁極をＮ極とし、斜線で塗られた磁極をＳ極とし、固定磁石１４の回転磁石１５に面する面ををＳ極と見ても良い。
【００８５】
図２２では、回転磁石１５は固定磁石１４の下側の位置にあることを表しており、固定磁石１４と回転磁石１５をこのような位置関係にすることで回転盤１３は反時計回りに回転し続けることができる。
【実施例２３】
【００８６】
図２３は本発明である磁気駆動における磁石の配置方法及び磁気駆動装置の磁石の配置状態の第２３実施例を示した図である。図２３に示すように、本発明である磁気駆動装置における磁石の配置方法１１ａは、前記磁石の配置方法１１とほぼ同じである。
【００８７】
図２３に示すように、本発明である磁気駆動装置における磁石の配置方法１１ａは、平板の円盤状で一方の面が同一磁極からなる固定磁石１４を取り付けた固定盤１２と、表裏が異極の磁極１５ａ、１５ｂからなる板状磁石を複数個異極同士を向かい合わせて非磁性体１５ｃを介して扇状に連結した回転磁石１５を回転磁石芯１５ｄと回転磁石１５の間に回転盤軸１３ａが位置するように取り付けた回転盤１３とからなり、前記回転磁石１５が固定磁石１４の下側に位置している。
【００８８】
前記扇型の回転磁石１５は、表裏異極の磁極１５ａ、１５ｂからなる板状磁石を複数個異極同士を向かい合わせて非磁性体１５ｃを介して扇状に連結して形成されており、各磁石間は非磁性体１５ｃにより隣接していない。また、回転磁石芯１５ｄは、回転磁石１５を円形に連結した際に表れる中心と等しい。
【００８９】
図２３では、回転磁石１５は固定磁石１４の下側の位置にあることを表しており、固定磁石１４と回転磁石１５をこのような位置関係にすることで回転盤１３は反時計回りに回転し続けることができる。
【実施例２４】
【００９０】
図２４は本発明である磁気駆動における磁石の配置方法及び磁気駆動装置の磁石の配置状態の第２４実施例を示した図である。図２４に示すように、本発明である磁気駆動装置における磁石の配置方法１１ｂは、前記磁石の配置方法１１、１１ａとほぼ同じである。
【００９１】
図２４に示すように、本発明である磁気駆動装置における磁石の配置方法１１ｂは、平板の円盤状で一方の面が同一磁極からなる固定磁石１４を取り付けた固定盤１２と、表裏が異極の磁極１５ａ、１５ｂからなる板状磁石を異極同士を向かい合わせて扇形の非磁性体１５ｃの両端に取り付けたことからなる回転磁石１５を回転磁石芯１５ｄが回転盤軸１３ａと回転磁石１５の間にあるように取り付けた回転盤１３とからなり、前記回転磁石１５が固定磁石１４の下側に位置している。
【００９２】
前記扇型の回転磁石１５は、表裏異極の磁極１５ａ、１５ｂからなる板状磁石を略扇形の非磁性体１５ｃの両端に異極同士を向かい合わせて取り付けた形状をしている。また、回転磁石芯１５ｄは、回転磁石１５を円形に連結した際に表れる中心と等しく、回転磁石１５の外周面と回転磁石芯１５ｄを結んだ半径は、固定磁石１４の半径よりも小さい。
【００９３】
図２４では、回転磁石１５は固定磁石１４の下側の位置にあることを表しており、固定磁石１４と回転磁石１５をこのような位置関係にすることで回転盤１３は反時計回りに回転し続けることができる。
【実施例２５】
【００９４】
図２５は本発明である磁気駆動における磁石の配置方法及び磁気駆動装置の磁石の配置状態の第２５実施例を示した図である。図２５に示すように、本発明である磁気駆動装置における磁石の配置方法１１ｃは、前記磁石の配置方法１１〜１１ｂとほぼ同じである。
【００９５】
図２５に示すように、本発明である磁気駆動装置における磁石の配置方法１１ｃは、平板の円盤状で一方の面が同一磁極からなる固定磁石１４を取り付けた固定盤１２と、表裏異極の磁極１５ａ、１５ｂからなる板状磁石を異極同士を向かい合わせて扇形の非磁性体１５ｃの両端に取り付けたことからなる回転磁石１５を回転磁石芯１５ｄと回転磁石１５の間に回転盤軸１３ａが位置するように取り付けた回転盤１３とからなり、前記回転磁石１５が固定磁石１４の下側に位置している。
【００９６】
前記扇型の回転磁石１５は、表裏異極の磁極１５ａ、１５ｂからなる板状磁石を略扇形の非磁性体１５ｃの両端に異極同士を向かい合わせて取り付けた形状をしている。また、回転磁石芯１５ｄは、回転磁石１５を円形に連結した際に表れる中心と等しい。
【００９７】
図２５では、回転磁石１５は固定磁石１４の下側の位置にあることを表しており、固定磁石１４と回転磁石１５をこのような位置関係にすることで回転盤１３は反時計回りに回転し続けることができる。
【実施例２６】
【００９８】
図２６は本発明である磁気駆動における磁石の配置方法及び磁気駆動装置の磁石の配置状態の第２６実施例を示した図である。図２６に示すように、本発明である磁気駆動装置における磁石の配置方法１１ｄは、前記磁石の配置方法１１〜１１ｃとほぼ同じである。
【００９９】
図２６に示すように、本発明である磁気駆動装置における磁石の配置方法１１ｄは、平板の円盤状で一方の面が同一磁極からなる固定磁石１４を取り付けた固定盤１２と、表裏異極の磁極１５ａ、１５ｂからなる板状磁石を異極同士を向かい合わせて扇形の非磁性体１５ｃの両端に取り付けたことからなる回転磁石１５を回転磁石芯１５ｄと回転盤軸１３ａの間に回転磁石１５が位置するように取り付けた回転盤１３とからなり、前記回転磁石１５が固定磁石１４の下側に位置している。
【０１００】
前記扇型の回転磁石１５は、表裏異極の磁極１５ａ、１５ｂからなる板状磁石を略扇形の非磁性体１５ｃの両端に異極同士を向かい合わせて取り付けた形状をしている。また、回転磁石芯１５ｄは、回転磁石１５を円形に連結した際に表れる中心と等しく、回転磁石１５の外周面と回転磁石芯１５ｄを結んだ半径は、固定磁石１４の半径よりも小さい。
【０１０１】
図２６では、回転磁石１５は固定磁石１４の下側の位置にあることを表しており、固定磁石１４と回転磁石１５をこのような位置関係にすることで回転盤１３は反時計回りに回転し続けることができる。
【実施例２７】
【０１０２】
図２７は本発明である磁気駆動における磁石の配置方法及び磁気駆動装置の磁石の配置状態の第２７実施例を示した図である。図２７に示すように、本発明である磁気駆動装置における磁石の配置方法１１ｅは、前記磁石の配置方法１１〜１１ｄとほぼ同じである。
【０１０３】
図２７に示すように、本発明である磁気駆動装置における磁石の配置方法１１ｅは、平板の円盤状で一方の面が同一磁極からなる固定磁石１４を取り付けた固定盤１２と、上下に異極関係を備えた直方体状の回転磁石１５を回転磁石１５の左辺が回転盤１３の経線上に重なり、回転磁石１５の一つの角が回転盤１３の外周上に位置するように取り付けた回転盤１３とからなり、前記回転磁石１５が固定磁石１４の下側に位置している。
【０１０４】
前記直方体状の回転磁石１５は、上下に異なる磁極１５ａ、１５ｂを備え、磁極の配置方法１１ｅでは、回転盤１３上の回転磁石１５は上側をＳ極とし、固定磁石１４のＮ極と最も近い位置にある。
【０１０５】
図２７では、回転磁石１５は固定磁石１４の下側の位置にあることを表しており、固定磁石１４と回転磁石１５をこのような位置関係にすることで回転盤１３は時計回りに回転し続けることができる。
【実施例２８】
【０１０６】
図２８は本発明である磁気駆動における磁石の配置方法及び磁気駆動装置の磁石の配置状態の第２８実施例を示した図である。図２８に示すように、本発明である磁気駆動装置における磁石の配置方法１１ｆは、前記磁石の配置方法１１〜１１ｅとほぼ同じである。
【０１０７】
図２８に示すように、本発明である磁気駆動装置における磁石の配置方法１１ｆは、平板の円盤状で一方の面が同一磁極からなる固定磁石１４を取り付けた固定盤１２と、平面上の両端に異極の磁極１５ａ、１５ｂを備えた直方体状の回転磁石１５を回転磁石１５の中央である磁極の境界線が回転盤１３の経線上に重なり、回転磁石１５の外側の異極の磁極からなる両側の角が回転盤１３の外周上に位置するように取り付けられた回転盤１３とからなり、前記回転磁石１５が固定磁石１４の下側に位置している。
【０１０８】
図２８では、回転磁石１５は固定磁石１４の下側の位置にあることを表しており、固定磁石１４と回転磁石１５をこのような位置関係にすることで回転盤１３は時計回りに回転し続けることができる。
【実施例２９】
【０１０９】
図２９は本発明である磁気駆動における磁石の配置方法及び磁気駆動装置の磁石の配置状態の第２９実施例を示した図である。図２９に示すように、本発明である磁気駆動装置における磁石の配置方法１１ｇは、前記磁石の配置方法１１〜１１ｆとほぼ同じである。
【０１１０】
図２９に示すように、本発明である磁気駆動装置における磁石の配置方法１１ｇは、平板の円盤状で一方の面が同一磁極からなる固定磁石１４を取り付けた固定盤１２と、表裏が異極の磁極１５ａ、１５ｂを備えた平板状の磁石を複数枚異極同士を向かい合わせて連設した回転磁石１５を回転磁石１５の中央が回転盤１３の経線上に重なり、回転磁石１５の外側の異極の磁極からなる両側の角が回転盤１３の外周上に位置するように取り付けられた回転盤１３とからなり、前記回転磁石１５が固定磁石１４の下側に位置している。
【０１１１】
図２９では、回転磁石１５は固定磁石１４の下側の位置にあることを表しており、固定磁石１４と回転磁石１５をこのような位置関係にすることで回転盤１３は時計回りに回転し続けることができる。
【実施例３０】
【０１１２】
図３０は本発明である磁気駆動における磁石の配置方法及び磁気駆動装置の磁石の配置状態の第３０実施例を示した図である。図３０に示すように、本発明である磁気駆動装置における磁石の配置方法１１ｈは、前記磁石の配置方法１１〜１１ｇとほぼ同じである。
【０１１３】
図３０に示すように、本発明である磁気駆動装置における磁石の配置方法１１ｈは、平板の円盤状で一方の面が同一磁極からなる固定磁石１４を取り付けた固定盤１２と、両側に異極の磁極１５ａ、１５ｂを備えた横長の直方体状をした回転磁石１５を回転磁石１５の中央が回転盤１３の経線上に重なり、且つ、回転磁石１５が回転盤１３の一方の半円形内に位置するように取り付けられた回転盤１３とからなり、前記回転磁石１５が固定磁石１４の下側に位置している。
【０１１４】
図３０では、回転磁石１５は固定磁石１４の下側の位置にあることを表しており、固定磁石１４と回転磁石１５をこのような位置関係にすることで回転盤１３は時計回りに回転し続けることができる。
【実施例３１】
【０１１５】
図３１は本発明である磁気駆動における磁石の配置方法及び磁気駆動装置の磁石の配置状態の第３１実施例を示した図である。図３１に示すように、本発明である磁気駆動装置における磁石の配置方法１１ｉは、前記磁石の配置方法１１〜１１ｈとほぼ同じである。
【０１１６】
図３１に示すように、本発明である磁気駆動装置における磁石の配置方法１１ｉは、平板の円盤状で一方の面が同一磁極からなる固定磁石１４を取り付けた固定盤１２と、上下に異極関係を備え左辺を傾斜面１５ｅとした回転磁石１５を回転磁石１５の右辺が回転盤１３の直径上の近くに重なり、回転磁石１５の傾斜面１５ｅの２つの角が回転盤１３の外周面上の近くに位置するように取り付けた回転盤１３とからなり、前記回転磁石１５が固定磁石１４の下側に位置している。
【０１１７】
図３１では、回転磁石１５は固定磁石１４の下側の位置にあることを表しており、固定磁石１４と回転磁石１５をこのような位置関係にすることで回転盤１３は時計回りに回転し続けることができる。
【実施例３２】
【０１１８】
図３２は本発明である磁気駆動における磁石の配置方法及び磁気駆動装置の磁石の配置状態の第３２実施例を示した図である。図３２に示すように、本発明である磁気駆動装置における磁石の配置方法１１ｊは、前記磁石の配置方法１１〜１１ｉとほぼ同じである。
【０１１９】
図３２に示すように、本発明である磁気駆動装置における磁石の配置方法１１ｊは、平板の円盤状で一方の面が同一磁極からなる固定磁石１４を取り付けた固定盤１２と、上下に異極関係を備え左辺を傾斜面１５ｅとした回転磁石１５を回転磁石１５の右辺が回転盤１３の直径上の近くに重なり、回転磁石１５の傾斜面１５ｅを形成する鋭角が回転盤１３の外周面上に位置するように取り付けた回転盤１３とからなり、前記回転磁石１５が固定磁石１４の下側に位置している。
【０１２０】
図３２では、回転磁石１５は固定磁石１４の下側の位置にあることを表しており、固定磁石１４と回転磁石１５をこのような位置関係にすることで回転盤１３は時計回りに回転し続けることができる。
【実施例３３】
【０１２１】
図３３は本発明である磁気駆動における磁石の配置方法及び磁気駆動装置の磁石の配置状態の第３３実施例を示した図である。図３３に示すように、本発明である磁気駆動装置における磁石の配置方法１１ｋは、前記磁石の配置方法１１〜１１ｊとほぼ同じである。
【０１２２】
図３３に示すように、本発明である磁気駆動装置における磁石の配置方法１１ｋは、平板の円盤状で一方の面が同一磁極からなる固定磁石１４を取り付けた固定盤１２と、平面上の両側に異極の磁極１５ａ、１５ｂを備えた略半円形状の回転磁石１５を回転磁石１５の中央部が回転盤１３の直径上に重なり、回転磁石１５の内側が回転盤軸１３ａの方向を向いた状態で取り付けた回転盤１３とからなり、前記回転磁石１５が固定磁石１４の下側に位置している。
【０１２３】
また、回転磁石１５の回転磁石芯１５ｄが、回転磁石１５と回転盤軸１３ａの間に位置するように、回転磁石芯１５ｄと回転盤軸１３ａの位置をずらしている。
【０１２４】
図３３では、回転磁石１５は固定磁石１４の下側の位置にあることを表しており、固定磁石１４と回転磁石１５をこのような位置関係にすることで回転盤１３は時計回りに回転し続けることができる。
【実施例３４】
【０１２５】
図３４は本発明である磁気駆動における磁石の配置方法及び磁気駆動装置の磁石の配置状態の第３４実施例を示した図である。図３４に示すように、本発明である磁気駆動装置における磁石の配置方法１１ｌは、前記磁石の配置方法１１〜１１ｋとほぼ同じである。
【０１２６】
図３４に示すように、本発明である磁気駆動装置における磁石の配置方法１１ｌは、平板の円盤状で一方の面が同一磁極からなる固定磁石１４を取り付けた固定盤１２と、平面上の両側に異極の磁極１５ａ、１５ｂを備えた略半円形状の回転磁石１５を回転磁石１５の中央部が回転盤１３の直径上に重なり、回転磁石１５の内側が回転盤軸１３ａの方向を向いた状態で取り付けた回転盤１３とからなり、前記回転磁石１５が固定磁石１４の下側に位置している。
【０１２７】
また、回転盤軸１３ａが回転磁石１５と回転磁石芯１５ｄの間に位置するように、回転磁石芯１５ｄと回転盤軸１３ａの位置をずらしている。
【０１２８】
図３４では、回転磁石１５は固定磁石１４の下側の位置にあることを表しており、固定磁石１４と回転磁石１５をこのような位置関係にすることで回転盤１３は時計回りに回転し続けることができる。
【実施例３５】
【０１２９】
図３５は本発明である磁気駆動における磁石の配置方法及び磁気駆動装置の磁石の配置状態の第３５実施例を示した図である。図３５に示すように、本発明である磁気駆動装置における磁石の配置方法１１ｍは、前記磁石の配置方法１１〜１１ｌとほぼ同じである。
【０１３０】
図３５に示すように、本発明である磁気駆動装置における磁石の配置方法１１ｍは、平板の円盤状で一方の面が同一磁極からなる固定磁石１４を取り付けた固定盤１２と、両端に互いに異極の磁極１５ａ、１５ｂを備えた略Ｕ字型の回転磁石１５を回転磁石１５の中央部が回転盤軸１３ａ上の近くに重なり、回転磁石１５の両端が固定磁石９の円周を向いた状態で取り付けた回転盤１３とからなり、前記回転磁石１５が固定磁石１４の下側に位置している。
【０１３１】
図３５では、回転磁石１５は固定磁石１４の下側の位置にあることを表しており、固定磁石１４と回転磁石１５をこのような位置関係にすることで回転盤１３は反時計回りに回転し続けることができる。
【実施例３６】
【０１３２】
図３６は本発明である磁気駆動における磁石の配置方法及び磁気駆動装置の磁石の配置状態の第３６実施例を示した図である。図３６に示すように、本発明である磁気駆動装置における磁石の配置方法１１ｎは、前記磁石の配置方法１１〜１１ｍとほぼ同じである。
【０１３３】
図３６に示すように、本発明である磁気駆動装置における磁石の配置方法１１ｎは、平板の円盤状で同一面が同一磁極からなる固定磁石１４を取り付けた固定盤１２と、同形同大で表裏が異極の磁極１５ａ、１５ｂからなる円形の磁石を偶数個並べて左右で異極同士の磁極１５ａ、１５ｂになるように左右で同数個ずつ円弧状に並べた回転磁石１０を回転盤１３の外周面近くに取り付けた回転盤１３とからなり、前記回転磁石１５が固定磁石１４の下側に位置している。
【０１３４】
図３６では、回転磁石１５は固定磁石１４の下側の位置にあることを表しており、固定磁石１４と回転磁石１５をこのような位置関係にすることで回転盤１３は時計回りに回転し続けることができる。
【実施例３７】
【０１３５】
図３７は本発明である磁気駆動における磁石の配置方法及び磁気駆動装置の磁石の配置状態の第３７実施例を示した図である。図３７に示すように、本発明である磁気駆動装置における磁石の配置方法１１ｏは、前記磁石の配置方法１１〜１１ｎとほぼ同じである。
【０１３６】
図３７に示すように、本発明である磁気駆動装置における磁石の配置方法１１ｏは、平板の円盤状で同一面が同一磁極からなる固定磁石１４を取り付けた固定盤１２と、上下に異極関係を備えた略半円形状の回転磁石１５を回転磁石１５の両端を結ぶ線が回転盤軸１３ａから下方に垂直に下ろした経線と平行関係にあり、且つ回転盤軸１３ａから下方に垂直に下ろした経線が回転磁石１５の左側に有る状態で取り付けた回転盤１３とからなり、前記回転磁石１５が固定磁石１４の下側に位置している。
【０１３７】
図３７では、回転磁石１５は固定磁石１４の下側の位置にあることを表しており、固定磁石１４と回転磁石１５をこのような位置関係にすることで回転盤１３は時計回りに回転し続けることができる。
【実施例３８】
【０１３８】
図３８は本発明である磁気駆動における磁石の配置方法及び磁気駆動装置の磁石の配置状態の第３８実施例を示した図である。本発明である磁気駆動装置における磁石の配置方法１１ｐは、前記磁石の配置方法１１〜１１ｏとほぼ同じである。
【０１３９】
図３８に示すように、本発明である磁気駆動装置における磁石の配置方法１１ｐは、平板の円盤状で同一面が同一磁極からなる固定磁石１４を取り付けた固定盤１２と、平面上の両端に異極の磁極１５ａ、１５ｂを備えた横長の直方体状をした回転磁石１５を回転磁石１５の中央が回転盤１３の経線上に重なるように、また、回転磁石１５の外側の異極の磁極１５ａ、１５ｂからなる両側の角が回転盤１３の外周上に位置するように取り付けられた回転盤１３とからなり、前記回転磁石１５が固定磁石１４の下側に位置している。
【０１４０】
図３８では、回転磁石１５は固定磁石１４の下側の位置にあることを表しており、固定磁石１４と回転磁石１５をこのような位置関係にすることで回転盤１３は時計回りに回転し続けることができる。
【実施例３９】
【０１４１】
図３９は本発明である磁気駆動における磁石の配置方法及び磁気駆動装置の磁石の配置状態の第３９実施例を示した図である。
【０１４２】
図３９に示すように、本発明である磁気駆動装置における磁石の配置方法１６は、円盤状で同一円周が同一磁極からなる固定磁石１９を取り付けた固定盤１７と、異極の磁極２０ａ、２０ｂからなる直方体状の回転磁石２０を磁極２０ａ、２０ｂの境界線が回転盤１８の経線の延長線上に重なり、更に回転磁石２０の外側の異極の磁極２０ａ、２０ｂからなる両側の角が回転盤１８の外周上に位置するように取り付けた回転盤１８とからなる。  
【０１４３】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１４４】
回転磁石２０は両側に互いに異極の磁極２０ａ、２０ｂを備えており、本発明を示す図３９乃至図４８では、回転磁石２０については白色の磁極をＳ極とし、斜線で塗られた磁極をＮ極とし、固定磁石１９についてはＮ極としたが、特に限定はしていない。即ち、回転磁石２０の白色の磁極をＮ極とし、斜線で塗られた磁極をＳ極とし、固定磁石１９をＳ極と見ても良い。
【０１４５】
図３９では、回転磁石２０は固定磁石１９の外側の位置にあることを表しており、固定磁石１９と回転磁石２０をこのような位置関係にすることで回転盤１８は反時計回りに回転し続けることができる。
【実施例４０】
【０１４６】
図４０は本発明である磁気駆動における磁石の配置方法及び磁気駆動装置の磁石の配置状態の第４０実施例を示した図である。本発明である磁気駆動装置における磁石の配置方法１６ａは、前記磁石の配置方法１６とほぼ同じである。
【０１４７】
図４０に示すように、本発明である磁気駆動装置における磁石の配置方法１６ａは、円盤状で同一円周が同一磁極からなる固定磁石１９を取り付けた固定盤１７と、表裏が異極の磁極２０ａ、２０ｂからなる平板状の磁石を複数枚異極同士を向かい合わせて連結した回転磁石２０の中心が回転盤１８の経線上に重なり、更に回転磁石２０の外側の異極の磁極２０ａ、２０ｂからなる両側の角が回転盤１８の外周上に位置するように取り付けた回転盤１８とからなる。
【０１４８】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１４９】
図４０では、回転磁石２０は固定磁石１９の外側の位置にあることを表しており、固定磁石１９と回転磁石２０をこのような位置関係にすることで回転盤１８は反時計回りに回転し続けることができる。
【実施例４１】
【０１５０】
図４１は本発明である磁気駆動における磁石の配置方法及び磁気駆動装置の磁石の配置状態の第４１実施例を示した図である。本発明である磁気駆動装置における磁石の配置方法１６ｂは、前記磁石の配置方法１６、１６ａほぼ同じである。
【０１５１】
図４１に示すように、本発明である磁気駆動装置における表裏が異極の磁石の配置方法１６ｂは、円盤状で同一円周が同一磁極からなる固定磁石１９を取り付けた固定盤１７と、表裏が異極の磁極２０ａ、２０ｂからなる平板状の磁石を異極同士を向かい合わせて扇状の非磁性体２０ｃの両端に取り付けた回転盤１８とからなる。
【０１５２】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１５３】
図４１では、回転磁石２０は固定磁石１９の外側の位置にあることを表しており、固定磁石１９と回転磁石２０をこのような位置関係にすることで回転盤１８は反時計回りに回転し続けることができる。
【実施例４２】
【０１５４】
図４２は本発明である磁気駆動における磁石の配置方法及び磁気駆動装置の磁石の配置状態の第４２実施例を示した図である。本発明である磁気駆動装置における磁石の配置方法１６ｃは、前記磁石の配置方法１６〜１６ｂほぼ同じである。
【０１５５】
図４２に示すように、本発明である磁気駆動装置における磁石の配置方法１６ｃは、円盤状で同一円周が同一磁極からなる固定磁石１９を取り付けた固定盤１７と、表裏が異極の磁極２０ａ、２０ｂからなる直方体状の回転磁石２０を回転磁石２０の右辺が回転盤１８の経線上に重なって位置し、且つ、回転磁石２０の一方の磁極の面（例えば２０ｂ）が固定磁石１９の円周面に向かって傾斜状に面する位置に１個または複数個配置し取り付けた回転盤１８とからなる。
【０１５６】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１５７】
図４２では、回転磁石２０は固定磁石１９の外側の位置にあることを表しており、固定磁石１９と回転磁石２０をこのような位置関係にすることで回転盤１８は反時計回りに回転し続けることができる。
【実施例４３】
【０１５８】
図４３は本発明である磁気駆動における磁石の配置方法及び磁気駆動装置の磁石の配置状態の第４３実施例を示した図である。本発明である磁気駆動装置における磁石の配置方法１６ｄは、前記磁石の配置方法１６〜１６ｃほぼ同じである。
【０１５９】
図４３に示すように、本発明である磁気駆動装置における磁石の配置方法１６ｄは、円盤状で同一円周が同一磁極からなる固定磁石１９を取り付けた固定盤１７と、表裏が異極の磁極２０ａ、２０ｂからなる直方体状の磁石を異極同士を向かい合わせて複数個を非磁性体２０ｃを介して等間隔に連結して扇型の回転磁石２０とし、回転磁石２０の芯が固定盤軸１８ａと同じ位置になるように取り付けた回転盤１８とからなる。
【０１６０】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１６１】
図４３では、回転磁石２０は固定磁石１９の外側の位置にあることを表しており、固定磁石１９と回転磁石２０をこのような位置関係にすることで回転盤１８は反時計回りに回転し続けることができる。
【実施例４４】
【０１６２】
図４４は本発明である磁気駆動における磁石の配置方法及び磁気駆動装置の磁石の配置状態の第４４実施例を示した図である。本発明である磁気駆動装置における磁石の配置方法１６ｅは、前記磁石の配置方法１６〜１６ｄほぼ同じである。
【０１６３】
図４４に示すように、本発明である磁気駆動装置における磁石の配置方法１６ｅは、円盤状で同一円周が同一磁極からなる固定磁石１９を取り付けた固定盤１７と、両側が異極の磁極２０ａ、２０ｂを備えた円弧状の回転磁石２０を磁極２０ａ、２０ｂの境界線が回転盤１８の経線上に位置し、回転磁石２０の内側が回転盤軸１８ａに向かうように取り付けた回転盤１８とからなる。
【０１６４】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１６５】
図４４では、回転磁石２０は固定磁石１９の外側の位置にあることを表しており、固定磁石１９と回転磁石２０をこのような位置関係にすることで回転盤１８は反時計回りに回転し続けることができる。
【実施例４５】
【０１６６】
図４５は本発明である磁気駆動における磁石の配置方法及び磁気駆動装置の磁石の配置状態の第４５実施例を示した図である。本発明である磁気駆動装置における磁石の配置方法１６ｆは、前記磁石の配置方法１６〜１６ｅほぼ同じである。
【０１６７】
図４５に示すように、本発明である磁気駆動装置における磁石の配置方法１６ｆは、円盤状で同一円周が同一磁極からなる固定磁石１９を取り付けた固定盤１７と、表裏が異極の磁極２０ａ、２０ｂからなる平板状の磁石２０ｅの磁極２０ａ、２０ｂの境界線が回転盤１８の経線上に位置するように異極同士を向かい合わせて等間隔に配置し、各平板状の磁石２０ｅの異極同士が直接密着しないように各々の間を非磁性体２０ｃで連設し円形状に構成した回転磁石２０を取り付けた回転盤１８とからなる。
【０１６８】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１６９】
図４５では、回転磁石２０は固定磁石１９の外側の位置にあることを表しており、固定磁石１９と回転磁石２０をこのような位置関係にすることで回転盤１８は反時計回りに回転し続けることができる。
【実施例４６】
【０１７０】
図４６は本発明である磁気駆動における磁石の配置方法及び磁気駆動装置の磁石の配置状態の第４６実施例を示した図である。本発明である磁気駆動装置における磁石の配置方法１６ｇは、前記磁石の配置方法１６〜１６ｆほぼ同じである。
【０１７１】
図４６に示すように、本発明である磁気駆動装置における磁石の配置方法１６ｇは、平板の円盤状で同一円周が同一磁極からなる固定磁石１９を取り付けた固定盤１７と、表裏が異極の磁極２０ａ、２０ｂからなる平板状の磁石２０ｅの磁極２０ａ、２０ｂの境界線が回転盤１８の経線上に位置するように異極同士を向かい合わせて等間隔に配置し、各平板状の磁石２０ｅの異極同士が直接密着しないように各々の間を非磁性体２０ｃで連設して円形状に構成し円形状のうち少なくとも１箇所はより広く間隔を開けた回転磁石２０を取り付けた回転盤１８とからなる。
【０１７２】
前記磁石の配置方法１６ｇで使用する回転磁石２０の配置方法は、前記磁石の配置方法１６ｆで配置した回転磁石２０の配置方法とほぼ同じである。即ち、平板状の磁石２０ｅの異極同士を向かい合わせて回転磁石２０を等間隔に配置した状態で、そのうち少なくとも一箇所で、少なくとも一つの平板状の磁石２０ｅを外し、その１箇所の非磁性体２０ｄを他の非磁性体２０ｃの幅よりも広くしたものである。
【０１７３】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１７４】
図４６では、回転磁石２０は固定磁石１９の外側の位置にあることを表しており、固定磁石１９と回転磁石２０をこのような位置関係にすることで回転盤１８は反時計回りに回転し続けることができる。
【実施例４７】
【０１７５】
図４７は本発明である磁気駆動における磁石の配置方法及び磁気駆動装置の磁石の配置状態の第４７実施例を示した図である。本発明である磁気駆動装置における磁石の配置方法１６ｈは、前記磁石の配置方法１６〜１６ｇほぼ同じである。
【０１７６】
図４７に示すように、本発明である磁気駆動装置における磁石の配置方法１６ｈは、円盤状で同一円周が同一磁極からなる固定磁石１９を取り付けた固定盤１７と、表裏が異極の磁極２０ａ、２０ｂからなる平板状の磁石２０ｅの磁極２０ａ、２０ｂの境界線が回転盤１８の経線上に位置するように異極同士を向かい合わせて等間隔で円形状に配置した回転磁石２０の内側は各平板状の磁石２０ｅが異極同士で接する構成でかつ回転磁石２０の外側は各々の間を非磁性体２０ｃで連設して円形状に構成し円形状の内少なくとも一箇所はより広く間隔を開けて非磁性体２０ｄで連設した回転磁石２０を取り付けた回転盤１８とからなる。
【０１７７】
前記磁石の配置方法１６ｈで使用する回転磁石２０の配置方法は、複数個の平板状の磁石２０ｅを等間隔に円形状に配置した状態で、そのうちの少なくとも一箇所で、少なくとも一つの磁石２０ｅを外し、１箇所の非磁性体２０ｄを他の非磁性体２０ｃの幅よりも広くしたものである。このとき、回転磁石２０の内側は磁極２０ａ、２０ｂ同士は内側は非磁性体２０ｄを介した場所以外は全て接触した状態となっている。
【０１７８】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１７９】
図４７では、回転磁石２０は固定磁石１９の外側の位置にあることを表しており、固定磁石１９と回転磁石２０をこのような位置関係にすることで回転盤１８は時計回りに回転し続けることができる。
【実施例４８】
【０１８０】
図４８は本発明である磁気駆動における磁石の配置方法及び磁気駆動装置の磁石の配置状態の第４８実施例を示した図である。本発明である磁気駆動装置における磁石の配置方法１６ｉは、前記磁石の配置方法１６〜１６ｈほぼ同じである。
【０１８１】
図４８に示すように、本発明である磁気駆動装置における磁石の配置方法１６ｉは、円盤状で同一円周が同一磁極からなる固定磁石１９を取り付けた固定盤１７と、表裏が異極の磁極２０ａ、２０ｂからなる平板状の磁石２０ｅを数個異極同士が向かい合う位置で互いにかなりの間隔を空けて円形状にして回転盤１８上に配置し、各平板状の磁石２０ｅの間を非磁性体２０ｃで連設した回転磁石２０を取り付けた回転盤１８とからなる。
【０１８２】
前記回転盤１８の径は固定盤１７の径よりも大きく、また、前記回転盤１８の径は固定磁石１９の径よりも大きい。回転盤１８上に取り付けられた回転磁石２０と固定盤１７上に取り付けられた固定磁石１９は同じ高さに位置するため、回転磁石２０は固定磁石１９の外側を回転移動することとなる。
【０１８３】
図４８では、回転磁石２０は固定磁石１９の外側の位置にあることを表しており、固定磁石１９と回転磁石２０をこのような位置関係にすることで回転盤１８は反時計回りに回転し続けることができる。
【実施例４９】
【０１８４】
図４９は本発明である磁気駆動における磁石の配置方法及び磁気駆動装置の磁石の配置状態の第４９実施例を示した図である。
【０１８５】
図４９に示すように、本発明である磁気駆動装置における磁石の配置方法２１は、一方の面が同一磁極からなる固定磁石２４を外周面近くに取り付けた固定盤２２と、表裏異極の磁極２５ａ、２５ｂからなる平板状の磁石２５ｄの磁極２５ａ、２５ｂの境界線が回転盤２３の経線に対して９０°前後の角度をもった位置で、磁石２５ｄを複数個互いに端の異極同士を重ねて等間隔で円形状に配置した回転磁石２５を配置した回転盤２３とからなり、前記固定磁石２４の一方の磁極と前記回転磁石２５が同じ高さに位置している。尚、符号２３ａは回転盤軸を示している。
【０１８６】
固定磁石２４は上下に異なる磁極を備えており、本発明を示す図４９乃至図５１では、回転磁石２５については白色の磁極をＳ極とし、斜線で塗られた磁極をＮ極とし、固定磁石２４についてはＮ極としたが、特に限定はしていない。即ち、回転磁石２５の白色の磁極をＮ極とし、斜線で塗られた磁極をＳ極とし、固定磁石２４をＳ極と見ても良い。
【０１８７】
図４９では前記回転盤２３の径は固定盤２２の径よりも小さく、回転盤２３上に取り付けられた回転磁石２５は、固定盤２２上に取り付けられた固定磁石２４の内側を回転するように作られている。このような位置関係で固定磁石２４と回転磁石２５を配置することにより、回転盤２３は反時計回りに回転し続けることができる。
【実施例５０】
【０１８８】
図５０は本発明である磁気駆動における磁石の配置方法及び磁気駆動装置の磁石の配置状態の第５０実施例を示した図である。本発明である磁気駆動装置における磁石の配置方法２１ａは、前記磁石の配置方法２１ほぼ同じである。
【０１８９】
図５０に示すように、本発明である磁気駆動装置における磁石の配置方法２１ａは、一方の面が同一磁極からなる固定磁石２４を外周面近くに取り付けた固定盤２２と、表裏異極の磁極２５ａ、２５ｂからなる平板状の磁石２５ｄの磁極２５ａ、２５ｂの境界線が回転盤２３の経線に対して９０°前後の角度を持った位置で磁石２５ｄを複数個互いの端の異極同士を重ねて等間隔で円形状に配置した回転磁石２５を配置した回転盤２３とからなる。前記固定盤２２の径は回転盤２３より小さく回転盤２３内に位置している。
【０１９０】
図５０では前記回転盤２３の径は固定盤２２の径よりも大きく、回転盤２３上に取り付けられた回転磁石２５は、固定盤２２の上に取り付けられた固定磁石２４の一方の磁極の外側を回転するように作られている。このような位置関係で固定磁石２４と回転磁石２５を配置することにより、回転盤２３は反時計回りに回転し続けることができる。
【実施例５１】
【０１９１】
図５１は本発明である磁気駆動における磁石の配置方法及び磁気駆動装置の磁石の配置状態の第５１実施例を示した図である。本発明である磁気駆動装置における磁石の配置方法２１ｂは、前記磁石の配置方法２１、２１ａほぼ同じである。
【０１９２】
図５１に示すように、本発明である磁気駆動装置における磁石の配置方法２１ｂは、同一円周が同一磁極からなる円盤型をした固定磁石２４を取り付けた固定盤２２と、表裏異極の磁極２５ａ、２５ｂからなる平板状の磁石２５ｄの磁極２５ａ、２５ｂの境界線が回転盤２３の経線に対して９０°前後の角度をもった位置で磁石２５ｄを複数個互いの端の異極同士を重ねて等間隔で円形状に配置した回転磁石２５を配置した回転盤２３とからなる。前記固定盤２２の径は回転盤２３より小さく回転盤２３内に位置している。
【０１９３】
図５１では前記回転盤２３の径は固定盤２２の径よりも大きく、回転盤２３上に取り付けられた回転磁石２５は、固定盤２２の上に取り付けられた固定磁石２４の一方の磁極の外側を回転するように作られている。このような位置関係で固定磁石２４と回転磁石２５を配置することにより、回転盤２３は反時計回りに回転し続けることができる。
【実施例５２】
【０１９４】
図５２は本発明である磁気駆動における磁石の配置方法及び磁気駆動装置の磁石の配置状態の第５２実施例を示した図である。
【０１９５】
図５２に示すように、本発明である磁気駆動における磁石の配置方法２６は、略三日月状の２つの固定磁石２９、２９ａを向かい合わせに接合し同一円周が同一磁極からなる略楕円形状として取り付けた固定盤２７と、異極の磁極３０ａ、３０ｂを備えた直方体状の回転磁石３０を異極の境界線が回転盤２８の経線上に重なる位置で外周近くに取り付けた回転盤２８とからなり、前記固定盤２７が回転盤２８内に位置している。
【０１９６】
前記固定磁石２９を円形とした場合に表れる固定磁石芯２９ｃは、固定磁石２９ａの背面側、且つ、固定盤２７の外周面近くに位置しており、固定磁石２９ａの固定磁石芯２９ｂは、固定磁石２９の背面側、且つ、固定盤２７の外周面近くに位置している。
【０１９７】
固定磁石２９、２９ａは上下に互いに異なる磁極を備えており、回転磁石３０については白色の磁極３０ａをＳ極とし、斜線で塗られた磁極３０ｂをＮ極とし、固定磁石２９、２９ａについてはＮ極としたが、特に限定はしていない。即ち、回転磁石３０の白色の磁極３０ａをＮ極とし、斜線で塗られた磁極３０ｂをＳ極とし、固定磁石２９、２９ａをＳ極と見ても良い。
【０１９８】
図５２では前記回転盤２８の径は固定盤２７の径よりも大きく、回転盤２８上に取り付けられた回転磁石３０は、固定盤２７の上に取り付けられた固定磁石２９の一方の磁極の外側を回転するように作られている。このような位置関係で固定磁石２９と回転磁石３０を配置することにより、回転盤２８は反時計回りに回転し続けることができる。
【実施例５３】
【０１９９】
図５３は本発明である磁気駆動における磁石の配置方法及び磁気駆動装置の磁石の配置状態の第５３実施例を示した図である。本発明である磁気駆動装置における磁石の配置方法２６ａは、前記磁石の配置方法２６ほぼ同じである。
【０２００】
図５３に示すように、本発明である磁気駆動における磁石の配置方法２６ａは、同一周囲が同一磁極からなる略三日月状の固定磁石２９ｄの両端を結んだ線の中央が固定盤２７の中心と重なるように固定磁石２９ｄを備えた固定盤２７と、異極の磁極３０ａ、３０ｂを備えた直方体状の回転磁石３０を異極の境界が回転盤２８の経線上に重なる位置で外周近くに取り付けた回転盤２８とからなり、前記固定盤２７が回転盤２８内に位置している。
【０２０１】
固定磁石２９ｄは上下に互いに異なる磁極を備えており、回転磁石３０については白色の磁極３０ａをＳ極とし、斜線で塗られた磁極３０ｂをＮ極とし、固定磁石２９ｄについてはＮ極としたが、特に限定はしていない。即ち、回転磁石３０の白色の磁極３０ａをＮ極とし、斜線で塗られた磁極３０ｂをＳ極とし、固定磁石２９ｄをＳ極と見ても良い。
【０２０２】
図５３では前記回転盤２８の径は固定盤２７の径よりも大きく、回転盤２８上に取り付けられた回転磁石３０は、固定盤２７の上に取り付けられた固定磁石２９ｄの一方の極の外側を回転するように作られている。このような位置関係で固定磁石２９ｄと回転磁石３０を配置することにより、回転盤２８は反時計回りに回転し続けることができる。
【実施例５４】
【０２０３】
図５４は本発明である磁気駆動における磁石の配置方法及び磁気駆動装置の磁石の配置状態の第５４実施例を示した図である。本発明である磁気駆動装置における磁石の配置方法２６ｂは、前記磁石の配置方法２６、２６ａほぼ同じである。
【０２０４】
図５４に示すように、本発明である磁気駆動における磁石の配置方法及び磁気駆動装置の磁石の配置状態２６ｂは、略三日月状の２つの固定磁石２９ｆ、２９ｇを湾曲部の頂点同士を合わせて接合し同一周囲が同一磁極からなる略Ｘ字状に取り付けた固定盤２７と、異極の磁極３０ａ、３０ｂを備えた直方体状の回転磁石３０を異極の境界線が回転盤２８の経線上に重なる位置で外周近くに取り付けた回転盤２８とからなり、前記固定盤２７が回転盤２８内に位置している。
【０２０５】
前記固定磁石２９ｆを円形とした場合に表れる固定磁石芯２９ｈは、固定盤２７の外周面近くに位置しており、また、固定磁石２９ｇの固定磁石芯２９ｉも、固定盤２７の外周面近くに位置している。
【０２０６】
固定磁石２９ｆ、２９ｇは上下に互いに異なる磁極を備えており、回転磁石３０については白色の磁極３０ａをＳ極とし、斜線で塗られた磁極３０ｂをＮ極とし、固定磁石２９ｆ、２９ｇについてはＮ極としたが、特に限定はしていない。即ち、回転磁石３０の白色の磁極３０ａをＮ極とし、斜線で塗られた磁極３０ｂをＳ極とした場合、固定磁石２９ｆ、２９ｇをＳ極と見ても良い。
【０２０７】
図５４では前記回転盤２８の径は固定盤２７の径よりも大きく、回転盤２８上に取り付けられた回転磁石３０は、固定盤２７の上に取り付けられた固定磁石２９ｆ、２９ｇの一方の磁極の外側を回転するように作られている。このような位置関係で固定磁石２９ｆ、２９ｇと回転磁石３０を配置することにより、回転盤２８は反時計回りに回転し続けることができる。
【実施例５５】
【０２０８】
図５５は、本発明である磁気駆動における磁石の配置方法及び磁気駆動装置の磁石の配置状態の第５５実施例を示した図である。
【０２０９】
図５５に示すように、本発明である磁気駆動における磁石の配置方法３１は、異極の磁極３４ａ、３４ｂを備えた直方体状の固定磁石３４を異極の境界線が回転盤２８の経線上に重なる位置で外周近くに取り付けた固定盤３２と、略三日月状の２つの回転磁石３５、３５ａを向かい合わせに接合し同一円周が同一磁極からなる略楕円形状として取り付けた回転盤３３とからなる。
【０２１０】
前記回転磁石３５を円形とした場合に表れる回転磁石芯３５ｃは、回転磁石３５ａの背面側、且つ、回転盤３３の外周面近くに位置しており、回転磁石３５ａの回転磁石芯３５ｂは、回転磁石３５ａの背面側、且つ、回転盤３３の外周面近くに位置している。
【０２１１】
回転磁石３５、３５ａは上下に互いに異なる磁極を備えており、固定磁石３４については白色の磁極３４ａをＳ極とし、斜線で塗られた磁極３４ｂをＮ極とし、回転磁石３５、３５ａについてはＮ極としたが、特に限定はしていない。即ち、固定磁石３４の白色の磁極３４ａをＮ極とし、斜線で塗られた磁極３４ｂをＳ極とし、回転磁石３５、３５ａをＳ極と見ても良い。
【０２１２】
図５５では前記回転盤３３の径は固定盤３２の径よりも小さく、回転盤３３上に取り付けられた回転磁石３５、３５ａの一方の磁極は、固定盤３２上の固定磁石３４と同じ高さの位置で、固定磁石３４の内側を回転するように作られている。このような位置関係で固定磁石３４と回転磁石３５、３５ａを配置することにより、回転盤３３は時計回りに回転し続けることができる。
【実施例５６】
【０２１３】
図５６は本発明である磁気駆動における磁石の配置方法及び磁気駆動装置の磁石の配置状態の第５６実施例を示した図である。本発明である磁気駆動装置における磁石の配置方法３１ａは、前記磁石の配置方法３１ほぼ同じである。
【０２１４】
図５６に示すように、本発明である磁気駆動における磁石の配置方法３１ａは、同一円周が同一磁極からなる略三日月状の回転磁石３５ｄの両端を結んだ線の中央が回転盤３３の中心近くに重なるように回転磁石３５ｄを備えた回転盤３３と、異極の磁極３４ａ、３４ｂを備えた直方体状の固定磁石３４を異極の境界線が回転盤３３の経線上に重なる位置で外周近くに取り付けた固定盤３２とからなり、前記回転盤３３が固定盤３２内に位置している。
【０２１５】
回転磁石３５ｄは上下に互いに異なる磁極を備えており、固定磁石３４については白色の磁極３４ａをＳ極とし、斜線で塗られた磁極３４ｂをＮ極とし、回転磁石３５ｄについてはＮ極としたが、特に限定はしていない。即ち、固定磁石３４の白色の磁極３４ａをＮ極とし、斜線で塗られた磁極３４ｂをＳ極とし、回転磁石３５ｄをＳ極と見ても良い。
【０２１６】
図５６では前記回転盤３３の径は固定盤３２の径よりも小さく、回転盤３３上に取り付けられた回転磁石３５ｄの一方の磁極は、固定盤３２上の固定磁石３４と同じ高さの位置で、固定磁石３４の内側を回転するように作られている。このような位置関係で固定磁石３４と回転磁石３５ｄを配置することにより、回転盤３３は時計回りに回転し続けることができる。
【実施例５７】
【０２１７】
図５７は本発明である磁気駆動における磁石の配置方法及び磁気駆動装置の磁石の配置状態の第５７実施例を示した図である。本発明である磁気駆動装置における磁石の配置方法３１ｂは、前記磁石の配置方法３１、３１ａほぼ同じである。
【０２１８】
図５７に示すように、本発明である磁気駆動における磁石の配置方法３１ｂは、略三日月状の２つの回転磁石３５ｆ、３５ｇを湾曲部の頂点同士を合わせて接合し同一周囲が同一磁極からなる略Ｘ字状に取り付けた回転盤３３と、異極の磁極３４ａ、３４ｂを備えた直方体状の固定磁石３４を異極の境界線が回転盤３３の経線上に重なる位置で外周近くに取り付けた固定盤３２とからなり、前記回転盤３３が固定盤３２内に位置している。
【０２１９】
前記回転磁石３５ｆを円形とした場合に表れる回転磁石芯３５ｈは、回転盤３３の外周面近くに位置しており、また、回転磁石３５ｇの回転磁石芯３５ｉも、回転盤３３の外周面近くに位置している。
【０２２０】
回転磁石３５ｆ、３５ｇは上下に互いに異なる磁極を備えており、固定磁石３４については白色の磁極３４ａをＳ極とし、斜線で塗られた磁極３４ｂをＮ極とし、回転磁石３５ｆ、３５ｇについてはＮ極としたが、特に限定はしていない。即ち、固定磁石３４の白色の磁極３４ａをＮ極とし、斜線で塗られた磁極３４ｂをＳ極とし、回転磁石３５ｆ、３５ｇをＳ極と見ても良い。
【０２２１】
図５７では前記回転盤３３の径は固定盤３２の径よりも小さく、回転盤３３上に取り付けられた回転磁石３５ｆ、３５ｇの一方の磁極は、固定盤３２上の固定磁石３４と同じ高さの位置で、固定磁石３４の内側を回転するように作られている。このような位置関係で固定磁石３４と回転磁石３５を配置することにより、回転盤３３は時計回りに回転し続けることができる。
【実施例５８】
【０２２２】
図５８は本発明である磁気駆動における磁石の配置方法及び磁気駆動装置の磁石の配置状態の第５８実施例を示した図である。
【０２２３】
図５８に示すように、本発明である磁気駆動における磁石の配置方法３６は、四辺が外方に向かって丸みを帯び内部が略円形の孔を形成した同一円周が同一磁極からなる略ドーナツ型の固定磁石３９を備えた固定盤３７と、異極の磁極４０ａ、４０ｂを備えた直方体状の回転磁石４０を異極の境界線が回転盤３８の経線上に重なる位置で外周近くに取り付けた回転盤３８とからなり、前記固定盤３７が回転盤３８の内側に位置している。
【０２２４】
固定磁石３９の丸みを帯びた各辺について各辺を円形とした場合に表れる固定磁石芯３９ａは、全て固定磁石３９内に存在し、また、全ての固定磁石芯３９ａは回転盤軸３８ａから同じ距離だけ離れている。
【０２２５】
固定磁石３９は同一円周が同一磁極で上下に互いに異なる磁極を備えており、回転磁石４０については白色の磁極４０ａをＳ極とし、斜線で塗られた磁極４０ｂをＮ極とし、固定磁石３９についてはＮ極としたが、特に限定はしていない。即ち、回転磁石４０の白色の磁極４０ａをＮ極とし、斜線で塗られた磁極４０ｂをＳ極とし、固定磁石３９をＳ極と見ても良い。
【０２２６】
図５８では前記回転盤３８の径は固定盤３７の径よりも大きく、回転盤３８上に取り付けられた回転磁石４０は、固定盤３７上の固定磁石３９の一方の磁極と同じ高さの位置で、固定磁石３９の外側を回転するように作られている。このような位置関係で固定磁石３９と回転磁石４０を配置することにより、回転盤３８は反時計回りに回転し続けることができる。
【実施例５９】
【０２２７】
図５９は本発明である磁気駆動における磁石の配置方法及び磁気駆動装置の磁石の配置状態の第５９実施例を示した図である。
【０２２８】
図５９に示すように、本発明である磁気駆動における磁石の配置方法４１は、異極の磁極４４ａ、４４ｂを備えた直方体状の固定磁石４４を異極の境界線が回転盤４３の経線上に重なる位置で外周近くに取り付けた固定盤４２と、四辺が外方に向かって丸みを帯び内部が略円形の孔を形成し同一円周が同一磁極からなる略ドーナツ型の回転磁石４５を備えた回転盤４３とからなり、前記回転盤４３が固定盤４２の内側に位置している。
【０２２９】
回転磁石４５の丸みを帯びた各辺について各辺を円形とした場合に表れる回転磁石芯４５ａは、全て回転磁石４５内に存在し、また、全ての回転磁石芯４５ａは回転盤軸４３ａから同じ距離だけ離れている。
【０２３０】
回転磁石４５は同一円周が同一磁極で上下に互いに異なる磁極を備えており、固定磁石４４については白色の磁極４４ａをＳ極とし、斜線で塗られた磁極４４ｂをＮ極とし、回転磁石４５についてはＮ極としたが、特に限定はしていない。即ち、固定磁石４４の白色の磁極４４ａをＮ極とし、斜線で塗られた磁極４４ｂをＳ極とし、回転磁石４５をＳ極と見ても良い。
【０２３１】
図５９では前記回転盤４３の径は固定盤４２の径よりも小さく、回転盤４３上に取り付けられた回転磁石４５の一方の磁極は、固定盤４２上の固定磁石４４と同じ高さの位置で、固定磁石４４の内側を回転するように作られている。このような位置関係で固定磁石４４と回転磁石４５を配置することにより、回転盤４３は時計回りに回転し続けることができる。
【実施例６０】
【０２３２】
図６０は本発明である磁気駆動における磁石の配置方法及び磁気駆動装置の磁石の配置状態の第６０実施例を示した図である。
【０２３３】
図６０に示すように、本発明である磁気駆動装置における磁石の配置方法５９は、一方の面が同一磁極からなる固定磁石６２を取り付けた固定盤６０と、表裏が異極の磁極６３ａ、６３ｂからなる平板状の磁石６３ｄの磁極６３ａ、６３ｂの境界線が回転盤６１の経線上に位置するように異極同士を向かい合わせて等間隔に配置し、各々の６３間を非磁性体６３ｃで連設して円形状に構成し取り付けた回転盤６１とからなる。
【０２３４】
前記回転盤６１の径は固定盤６０の径よりも小さく、回転盤６１上に取り付けられた回転磁石６３と固定盤６０上に取り付けられた固定磁石６２は同じ高さに位置するため、回転磁石６３は固定磁石６２の内側を回転移動することとなる。
【０２３５】
図６０では、回転磁石６３は固定磁石６２の内側であることを表しており、固定磁石６２と回転磁石６３をこのような位置関係にすることで回転盤６１は時計回りに回転し続けることができる。
【実施例６１】
【０２３６】
図６１、図６２、図６３は本発明である磁気駆動における磁石の配置方法及び磁気駆動装置の磁気駆動装置を示した図である。
【０２３７】
図６１に示すように、本発明である磁気駆動装置４６は、下面に回転磁石５０を垂設し下面中央に接合部４８ｂを介して回転盤軸４８ａを取り付けた回転盤４８と、上面に固定磁石４９を取付け上面中央に前記回転盤軸４８ａを回転可能に連結するための軸受け４７ａを備えた固定盤４７とからなる。
【０２３８】
図６２に示すように、本発明である磁気駆動装置４６ａは、下面に回転磁石５４を垂設し下面中央に接合部５２ｂを介して回転盤軸５２ａを取り付けた回転盤５２と、上面に環状の固定磁石５３を備え上面中央に前記回転盤軸５２ａを回転可能に連結するための軸受け５１ａを備えた固定盤５１とからなる。
【０２３９】
図６３に示すように、本発明である磁気駆動装置４６ｂは、下面に回転磁石５８を垂設し下面中央に接合部５６ｂを介して回転盤軸５６ａを取り付けた回転盤５６と、上面に円盤状の固定磁石５７を備え上面中央に前記回転盤軸５６ａを回転可能に連結するための軸受け５５ａを備えた固定盤５５とからなる。
【０２４０】
図６１〜図６３に示す磁気駆動装置４６、４６ａ、４６ｂは本発明である磁石の配置方法を実施するための基本的な磁気駆動装置を示したものであり、前述の実施例１〜５９の各磁石の配置方法を実施する場合は、各実施例の定義する条件に従って調整することとなる。
【０２４１】
前記実施例１〜５の磁石の配置方法を実施する場合、図６１の磁気駆動装置４６を使用する。実施例１〜５の磁石の配置方法では、回転磁石と固定磁石の一方の磁極が同じ高さにあることが条件であるため、前記回転盤軸４８ａの長さを短くし、固定磁石４９の上側にくる磁極４９ａと回転盤４８に取り付けた回転磁石５０の下側にくる磁石５０ｂを同じ高さで接近した位置に調節する。
【０２４２】
また、実施例１〜５の場合、回転磁石５０は平面の左右に異なった磁極を備えていることが条件となっているため、回転磁石５０の磁極５０ａ、５０ｂは上下に異極になったもので異極同士の端を合わせたものか、又は左右が異極になったものを使用する。
【０２４３】
前記実施例６〜２１の磁石の配置方法を実施する場合、図６２の磁気駆動装置４６ａを使用する。実施例６〜２１の磁石の配置方法では、回転磁石と固定磁石の一方の磁極５３ａが同じ高さにあり、また回転磁石が固定磁石内を回転することが条件であるため、回転磁石５４が固定磁石５３内を回転移動するように回転盤軸５２ａを調節する。尚、磁極５３ｂと回転磁石５４が同じ高さにならないようにする。
【０２４４】
また、図６２では回転磁石５４の磁極５４ａ、５４ｂを上下に位置させたが、実施例６〜２１では、様々な形状の回転磁石を使用しているため、回転磁石５４はそれぞれに適合した回転磁石に置き換える。
【０２４５】
前記実施例２２〜３８の磁石の配置方法を実施する場合、図６３の磁気駆動装置４６ｂを使用する。実施例２２〜３８の磁石の配置方法では、固定磁石は円盤状であり、回転磁石と固定磁石が上下の位置関係にあり、回転磁石は固定磁石の円周内を回転することが条件であるため、回転磁石５８の取り付け位置を内側に変更し固定盤５５上に取り付けた円盤状の固定磁石５７の円周内を回転するように調節する。尚、前記実施例２２〜３８の磁石の配置は回転磁石が固定磁石の下側に位置していることになっているが、この上下の位置関係は回転磁石が固定磁石の上側に位置していても良い。
【０２４６】
また、図６３では回転磁石５８の磁極５８ａ、５８ｂを上下に位置させたが、実施例２２〜３８では、様々な形状の回転磁石を使用しているため、回転磁石５８はそれぞれに適合した回転磁石に置き換える。
【０２４７】
前記実施例３９〜４８の磁石の配置方法を実施する場合、図６３の磁気駆動装置４６ｂを使用する。実施例３９〜４８の磁石の配置方法では、円盤状の固定磁石の一方の磁極と回転磁石が同じ高さにあり、回転磁石が固定磁石の外側を回転することが条件であるため、回転磁石５８ｂと磁極５７ａが同じ高さとなるように回転盤軸５６ａを調節する。
【０２４８】
また、図６３では回転磁石５８の磁極５８ａ、５８ｂを上下に位置させたが、実施例３９〜４８では、様々な形状の回転磁石を使用しているため、回転磁石５８はそれぞれに適合した回転磁石に置き換える。
【０２４９】
前記実施例４９の磁石の配置方法を実施する場合、図６１の磁気駆動装置４６を使用する。実施例４９の磁石の配置方法では、固定磁石の一方の磁極と回転磁石が同じ高さにあり、回転磁石が固定磁石の内側を回転することが条件であるため、回転磁石５０を内側に取付け、固定磁石４９を固定盤４７の外周近くに取り付ける。
【０２５０】
また、図６１では回転磁石５０の磁極５０ａ、５０ｂを上下に位置させたが、実施例４９では、平面上の左右に異なった磁極を備えた回転磁石を使用しているため、回転磁石５０はそれに適合した回転磁石に置き換える。
【０２５１】
前記実施例５０、５１の磁石の配置方法を実施する場合、図６３の磁気駆動装置４６ｂを使用する。実施例５０、５１の磁石の配置方法では、固定磁石の一方の磁極と回転磁石が同じ高さにあり、回転磁石が固定磁石の外側を回転することが条件であるため、回転磁石５８が固定磁石５７の磁極５７ａの外側を回転するように回転盤軸５６ａを調節する。
【０２５２】
また、図６３では回転磁石５８の磁極５８ａ、５８ｂを上下に位置させたが、実施例５０、５１では、平面上の左右に異なった磁極を備えた回転磁石を使用しているため、回転磁石５８はそれに適合した回転磁石に置き換える。
【０２５３】
前記実施例５２〜５４の磁石の配置方法を実施する場合、図６１の磁気駆動装置４６を使用する。実施例５２〜５４の磁石の配置方法では、固定磁石の一方の磁極と回転磁石が同じ高さにあり、回転磁石が固定磁石の外側を回転することが条件であるため、回転磁石５０が固定磁石４９の磁極４９ａの外側を回転するように回転盤軸４８ａを調節する。
【０２５４】
また、図６１では回転磁石５０の磁極５０ａ、５０ｂを上下に位置させたが、実施例５２〜５４では、平面上の左右に異なった磁極を備えた回転磁石を使用しているため、回転磁石５０はそれに適合した回転磁石に置き換える。
【０２５５】
前記実施例５５〜５７の磁石の配置方法を実施する場合、図６１の磁気駆動装置４６を使用する。実施例５５〜５７の磁石の配置方法では、回転磁石の一方の磁極と固定磁石が同じ高さにあり、回転磁石が固定磁石の内側を回転することが条件であるため、回転磁石５０の磁極５０ｂが固定磁石４９の内側を回転するように回転盤軸４８ａを調節する。
【０２５６】
また、図６１では固定磁石４９の磁極４９ａ、４９ｂを上下に位置させたが、実施例５５〜５７では、平面上の左右に異なった磁極を備えた固定磁石を使用しているため、固定磁石４９はそれに適合した回転磁石に置き換える。
【０２５７】
前記実施例５８の磁石の配置方法を実施する場合、図６１の磁気駆動装置４６を使用する。実施例５８の磁石の配置方法では、固定磁石の一方の磁極と回転磁石が同じ高さにあり、回転磁石が固定磁石の外側を回転することが条件であるため、回転磁石５０が固定磁石４９の磁極４９ａの外側を回転するように回転盤軸４８ａを調節する。
【０２５８】
また、図６１では回転磁石５０の磁極５０ａ、５０ｂを上下に位置させたが、実施例５８では、平面上の左右に異なった磁極を備えた回転磁石を使用しているため、回転磁石５０はそれに適合した回転磁石に置き換える。
【０２５９】
前記実施例５９の磁石の配置方法を実施する場合、図６１の磁気駆動装置４６を使用する。実施例５９の磁石の配置方法では、回転磁石の一方の磁極と固定磁石が同じ高さにあり、回転磁石が固定磁石の内側を回転することが条件であるため、回転磁石５０が固定磁石４９の内側を回転するように固定磁石４９と回転磁石５０の取り付け位置を変更し、回転盤軸４８ａを調節する。
【０２６０】
また、図６１では固定磁石４９の磁極４９ａ、４９ｂを上下に位置させたが、実施例５９では、平面上の左右に異なった磁極を備えた固定磁石を使用しているため、固定磁石４９はそれに適合した固定磁石に置き換える。また、実施例６０の磁石の配置方法を実施する方法でも図６１の磁気駆動装置４６を使用し、実施例６０の磁石の配置方法では、平面上の左右に異なった磁極を備えた回転磁石を固定磁石の一方の磁極が同じ高さにあり、回転磁石が固定磁石の内側を回転することが条件であるため、回転磁石５０が固定磁石４９の内側を回転するように固定磁石４９と回転磁石５０の取り付け位置を変更し、回転盤軸４８ａを調節する。
【実施例６２】
【０２６１】
図６４は本発明である磁気駆動における磁石の配置方法及び磁気駆動装置の磁石の配置状態の第６２実施例を示した図である。
【０２６２】
図６４に示すように、本発明である磁気駆動装置における磁石の配置方法６４は、回転盤軸６６ａと固定磁石芯６７ａが同じ位置の状態で固定磁石６７を取り付けた固定盤６５と、左右が異極の回転磁石６８を回転磁石芯６８ａが回転盤軸６６ａと異なった位置の状態で取り付けた回転盤６６とからなり、前記固定磁石芯６７ａが回転盤軸６６ａの同一延長上に位置し同時に固定磁石６７の一部が回転磁石６６の異極の磁極６８ｂ、６８ｃの境界線上に位置している。
【０２６３】
図６４の場合、固定磁石６７の回転磁石６８に近い方の磁極と回転磁石６８の磁極６８ｃが同じ磁極であることを示しており、そのような磁極の関係では前記回転磁石６８を取り付けた回転盤６６は反時計回りに回転する。尚、符号６５ａは固定盤軸を示している。
【実施例６３】
【０２６４】
図６５は本発明である磁気駆動における磁石の配置方法及び磁気駆動装置の磁石の配置状態の第６３実施例を示した図である。
【０２６５】
図６５に示すように、本発明である磁気駆動装置における磁石の配置方法６９は、同一円周囲が同一磁極からなる１つ又は複数個の磁石７２ｂからなる固定磁石７２を取り付けた固定盤７０と、左右が異極である回転磁石７３を前記固定磁石７２を構成する磁石の数と異なる数だけ磁石７２ｂの幅より広い非磁性体７３ｄを間に介して取り付けた回転盤７１とからなり、回転盤軸７１ａ、固定磁石芯７２ａ及び回転磁石芯７３ａが同一又は同一延長上に位置し、前記固定磁石７２の一方の同一磁極のみが回転磁石７３の内側で且つ回転磁石７３と同じ高さに位置している。
【０２６６】
図６５の場合、回転磁石７３の内側で且つ回転磁石７３と同じ高さにある固定磁石７２の磁極と回転磁石７３の磁極７３ｂが同じ磁極であることを示しており、そのような磁極の関係では前記回転磁石７３を取り付けた回転盤７１は反時計回りに回転する。尚、磁極７３ｃは磁極７３ｂとは異極を表している。尚、符号７０ａは固定盤軸を示している。
【実施例６４】
【０２６７】
図６６及び図６７は本発明である磁気駆動における磁石の配置方法及び磁気駆動装置の磁石の配置状態の第６４実施例を示した図である。
【０２６８】
図６６及び図６７に示すように、本発明である磁気駆動装置における磁石の配置方法７４、７４ａは、同一円周が同一磁極からなる環状の固定磁石７７を固定磁石芯７７ａと回転盤軸７６ａが同じ位置の状態で取り付けた固定盤７５と、左右が異極である複数の回転磁石７８（７８ｄ）を回転盤７６の外周に沿い各回転磁石７８（７８ｄ）間の非磁性体７８ｇの幅を小さくして取り付けた回転盤７６とからなり、回転盤軸７６ａ、固定磁石芯７７ａ及び回転磁石芯７８ａが同一又は同一延長上に位置し、固定磁石７７の一方の同一磁極と回転磁石７８が同じ高さに位置している。
【０２６９】
図６６の場合、回転磁石７８と同じ高さにある固定磁石７７の磁極と回転磁石７８の磁極７８ｃが同じ磁極であることを示しており、そのような磁極の関係では前記回転磁石７８を取り付けた回転盤７６は時計回りに回転する。尚、磁極７８ｂは磁極７８ｃとは異極を表している。符号７５ａは固定盤軸を示している。
【０２７０】
図６７の場合、回転磁石７８ｄと同じ高さにある固定磁石７７の磁極と回転磁石７８ｄの磁極７８ｅが同じ磁極であることを示しており、そのような磁極の関係では前記回転磁石７８ｄを取り付けた回転盤７６は時計回りに回転する。尚、符号７８ｅ、７８ｆは磁極を示しており、それぞれ異極の意味である。また、図６６では、回転磁石７８を円形又は球体状とし、図６７では回転磁石７８ｄを板状としたが、前記回転磁石７８（７８ｄ）の形状は限定しておらず左右が異極であればよい。
【実施例６５】
【０２７１】
図６８は本発明である磁気駆動における磁石の配置方法及び磁気駆動装置の磁石の配置状態の第６５実施例を示した図である。
【０２７２】
図６８に示すように、本発明である磁気駆動装置における磁石の配置方法７９は、一方の面が同一磁極からなる固定磁石８２を固定盤８０の外周近くに取り付けた固定盤８０と、左右が異極の複数の回転磁石８３を異極同士を向かい合わせの方向で回転盤８１の外周に沿い各回転磁石８３間の非磁性体８３ｄの幅を小さくして取り付けた回転盤とからなり、回転盤軸８１ａ及び回転磁石芯８３ａが同一又は同一延長上に位置し、固定磁石８２の一方の同一磁極と回転磁石８３が同じ高さに位置している。
【０２７３】
図６８の場合、回転磁石８３と同じ高さにある固定磁石８２の磁極と回転磁石８３の磁極８３ｃが同じ磁極であることを示しており、そのような磁極の関係では前記回転磁石８３を取り付けた回転盤８１は時計回りに回転する。尚、磁極８３ｂは磁極８３ｃとは異極を表している。符号８０ａは固定盤軸８０ａを示している。
【実施例６６】
【０２７４】
図６９及び図７０は本発明である磁気駆動における磁石の配置方法及び磁気駆動装置の磁石の配置状態の第６６実施例を示した図である。
【０２７５】
図６９及び図７０に示すように、本発明である磁気駆動装置における磁石の配置方法８４〜８４ｇは、同一円周が同一磁極からなる固定磁石８７を回転盤軸８６ａと固定磁石芯８７ａが同じ位置の状態で取り付けた固定盤８５と、左右が異極の円弧状の回転磁石８８（８９）又は左右が異極の磁石９０ｅ（９１ｅ）を非磁性体９０ｄ（９１ｄ）を介して複数個連結し円弧状とした回転磁石９０（９１）を取り付けた回転盤８６とからなり、固定磁石８７の一方の同一磁極が回転磁石９０（９１）と同じ高さの位置で且つ回転磁石の円弧内に位置している。
【０２７６】
図６９及び図７０において、磁石の配置方法８４〜８４ｇの各具体例を示した。図６９では、左右が異極の円弧状の回転磁石８８を使用した場合を示している。また回転磁石８８と同じ高さにある固定磁石８７の磁極と回転磁石８８の磁極８８ｃが同じ磁極であることを示しており、そのような磁極の関係では前記回転磁石８８を取り付けた回転盤８６は時計回りに回転する。尚、磁極８８ｂは磁極８８ｃと異極を示しており、符号８８ａは回転磁石芯を示している。
【０２７７】
図７０に示した磁石の配置方法８４ａでは、左右が異極の円弧状の回転磁石８９を使用した場合を示している。また、回転磁石８９と同じ高さにある固定磁石８７の磁極と回転磁石８９の磁極８９ｃは同じ磁極であることを示しており、固定磁石８７と回転磁石８９が以上のような磁極関係にある場合、回転磁石８９を取り付けた回転盤８６は時計回りに回転する。
【０２７８】
図７０に示した磁石の配置方法８４ｂでは、左右が異極の円弧状の回転磁石８９を使用し、回転磁石芯８９ａが回転盤軸８６ａとは異なった位置になるように回転磁石８９を設置した場合を示している。また、回転磁石８９と同じ高さにある固定磁石８７の磁極と回転磁石８９の磁極８９ｃは同じ磁極であることを示しており、固定磁石８７と回転磁石８９が以上のような磁極関係にある場合、回転磁石８９を取り付けた回転盤８６は時計回りに回転する。
【０２７９】
図７０に示した磁石の配置方法８４ｃでは、左右が異極の円弧状の回転磁石８９を使用し、回転磁石芯８９ａが回転盤軸８６ａとは異なった位置になるように回転磁石８９を設置した状態を示している。また、回転磁石８９と同じ高さにある固定磁石８７の磁極と回転磁石８９の磁極８９ｃは同じ磁極であることを示しており、固定磁石８７と回転磁石８９が以上のような磁極関係にある場合、回転磁石８９を取り付けた回転盤８６は時計回りに回転する。尚、磁極８９ｂは磁極８９ｃとは異極を示している。
【０２８０】
図７０に示した磁石の配置方法８４ｄでは、左右が異極の磁石９０ｅを非磁性体９０ｄで複数個連結し円弧状とした回転磁石９０を使用した場合を示している。また、回転磁石９０と同じ高さにある固定磁石８７の磁極と回転磁石９０の磁極９０ｃは同じ磁極であることを示しており、固定磁石８７と回転磁石９０が以上のような磁極関係にある場合、回転磁石９０を取り付けた回転盤８６は反時計回りに回転する。尚、磁極９０ｂは磁極９０ｃとは異極を示しており、符号９０ａは回転磁石芯を示している。
【０２８１】
図７０に示した磁石の配置方法８４ｅでは、左右が異極の磁石９１ｅを非磁性体９１ｄで複数個連結し円弧状とした回転磁石９１を使用した場合を示している。また、回転磁石９１と同じ高さにある固定磁石８７の磁極と回転磁石９１の磁極９１ｃは同じ磁極であることを示しており、固定磁石８７と回転磁石９１が以上のような磁極関係にある場合、回転磁石９１を取り付けた回転盤８６は反時計回りに回転する。
【０２８２】
図７０に示した磁石の配置方法８４ｆでは、左右が異極の磁石９１ｅを非磁性体９１ｄで複数個連結し円弧状とした回転磁石９１を使用し、回転磁石芯９１ａが回転盤軸８６ａとは異なった位置になるように回転磁石９１を設置した状態を示している。また、回転磁石９１と同じ高さにある固定磁石８７の磁極と回転磁石９１の磁極９１ｃは同じ磁極であることを示しており、固定磁石８７と回転磁石９１が以上のような磁極関係にある場合、回転磁石９１を取り付けた回転盤８６は反時計回りに回転する。
【０２８３】
図７０に示した磁石の配置方法８４ｇでは、左右が異極の磁石９１ｅを非磁性体９１ｄで複数個連結し円弧状とした回転磁石９１を使用し、回転磁石芯９１ａが回転盤軸８６ａとは異なった位置になるように回転磁石９１を設置した状態を示している。また、回転磁石９１と同じ高さにある固定磁石８７の磁極と回転磁石９１の磁極９１ｃは同じ磁極であることを示しており、固定磁石８７と回転磁石９１が以上のような磁極関係にある場合、回転磁石９１を取り付けた回転盤８６は反時計回りに回転する。尚、磁極９１ｂは磁極９１とは異極を示しており、また図６９及び図７０の符号８５ａは固定盤軸を示している。
【実施例６７】
【０２８４】
図７１及び図７２は本発明である磁気駆動における磁石の配置方法及び磁気駆動装置の磁石の配置状態の第６７実施例を示した図である。
【０２８５】
図７１及び図７２に示すように、本発明である磁気駆動装置における磁石の配置方法９２〜９２ｄは、同一円周が同一磁極からなる固定磁石９５を回転盤軸９４ａと固定磁石芯９５ａが同じ位置の状態で取り付けた固定盤９３と、前記固定磁石９５の両側に近づけて２つの回転磁石９６を異極同士の各磁極９６ａ、９６ｂを向かい合わせて前記２つの回転磁石９６を回転盤の同一半円内に取り付けた回転盤９４とからなり、前記固定磁石９５の一方の同一磁極が回転磁石と同じ高さに位置し、回転盤軸９４ａ及び固定磁石芯９５ａが同一又は同一延長上に位置している。
【０２８６】
図７１及び図７２において、磁石の配置方法９２〜９２ｄの各具体例を示した。図７１に示すように、磁石の配置方法９２では、２つの回転磁石９６を異極同士の各磁極９６ａ、９６ｂを向かい合わせて前記２つの回転磁石９６を回転盤の同一半円内に取り付けた回転盤９４を使用し、前記回転磁石９６を構成する２つの異極同士の各磁極９６ａ、９６ｂが持つ各一辺が回転盤直径線９４ｂ上にあることを示している。また、回転磁石９６と同じ高さにある固定磁石９５の磁極と一方の回転磁石９６の磁極９６ｂは同じ磁極であることを示しており、固定磁石９５と回転磁石９６が以上のような磁極関係にある場合、回転磁石９６を取り付けた回転盤９４は時計回りに回転する。
【０２８７】
図７２に示すように、磁石の配置方法９２ａでは、２つの固定磁石９６を異極同士の各磁極９６ａ、９６ｂを向かい合わせて前記２つの回転磁石９６を回転盤の同一半円内に取り付けた回転盤９４を使用し、前記回転磁石９６を構成する２つの異極同士の磁極９６ａ、９６ｂが持つ各一辺が回転盤直径線９４ｂの示す半円の内側の位置にあることを示している。また、回転磁石９６と同じ高さにある固定磁石９５の磁極と一方の回転磁石９６の磁極９６ｂは同じ磁極であることを示しており、固定磁石９５と回転磁石９６が以上のような磁極関係にある場合、回転磁石９６を取り付けた回転盤９４は時計回りに回転する。
【０２８８】
図７２に示すように、磁石の配置方法９２ｂでは、左右が異極の状態で２つの固定磁石９６を異極同士の各磁極９６ａ、９６ｂを向かい合わせて前記２つの回転磁石９６を回転盤の同一半円内に取り付けた回転盤９４を使用し、前記回転磁石９６を構成する２つの異極同士の磁極９６ａ、９６ｂが持つ各一辺が回転盤直径線９４ｂの示す半円の内側の位置にあることを示している。また、回転磁石９６と同じ高さにある固定磁石９５の磁極と回転磁石９６の磁極９６ａは同じ磁極であることを示しており、固定磁石９５と回転磁石９６が以上のような磁極関係にある場合、回転磁石９６を取り付けた回転盤９４は時計回りに回転する。
【０２８９】
図７２に示すように、磁石の配置方法９２ｃでは、２つの固定磁石９６を異極同士の各磁極９６ａ、９６ｂを向かい合わせて前記２つの回転磁石９６を非磁性体９６ｃを介して一体とし回転盤の同一半円内に取り付けた回転盤９４を使用し、前記回転磁石９６を構成する２つの異極同士の各磁極９６ａ、９６ｂが持つ各一辺が回転盤直径線９４ｂの示す半円の内側の位置にあることを示している。また、回転磁石９６と同じ高さにある固定磁石９５の磁極と回転磁石９６の磁極９６ｂは同じ磁極であることを示しており、固定磁石９５と回転磁石９６が以上のような磁極関係にある場合、回転磁石９６を取り付けた回転盤９４は時計回りに回転する。
【０２９０】
図７２に示すように、磁石の配置方法９２ｄでは、２つの固定磁石９６を異極同士の各磁極９６ａ、９６ｂを向かい合わせて前記２つの回転磁石９６を非磁性体９６ｃを介して一体とし回転盤の同一半円内に取り付けた回転盤９４を使用し、前記回転磁石９６を構成する２つの異極同士の異極９６ａ、９６ｂが持つ各一辺が回転盤直径線９４ｂ上の位置にあることを示している。また、回転磁石９６と同じ高さにある固定磁石９５の磁極と回転磁石９６の磁極９６ｂは同じ磁極であることを示しており、固定磁石９５と回転磁石９６が以上のような磁極関係にある場合、回転磁石９６を取り付けた回転盤９４は時計回りに回転する。尚、図７１及び図７２の符号９３ａは固定盤軸を示している。
【実施例６８】
【０２９１】
図７３及び図７４は本発明である磁気駆動における磁石の配置方法及び磁気駆動装置の磁石の配置状態の第６８実施例を示した図である。
【０２９２】
図７３及び図７４に示すように、本発明である磁気駆動装置における磁石の配置方法９７〜９７ｃは、同一円周が同一磁極からなる環状の固定磁石１００を回転盤軸９９ａと固定磁石芯１００ａが同位置の状態で取り付けた固定盤９８と、左右が異極の１つの磁石１０１ｄ又は異極同士を向かい合わせて円弧状若しくは隣り合う磁石１０１ｄ（１０２ｅ）との間の非磁性体１０１ｅ（１０２ｄ）の幅を磁石１０１ｄ（１０２ｅ）の幅より広く設けて配置した複数の磁石１０１ｄ（１０２ｅ）からなる回転磁石１０１（１０２）を取り付けた回転盤９９とからなり、前記回転磁石１０１（１０２）は固定磁石１００の内側に位置し固定磁石１００の一方の同一磁極が回転磁石１０１（１０２）と同じ高さにあり、回転盤軸９９ａ及び固定磁石芯１００ａが同一又は同一延長上に位置している。
【０２９３】
図７３及び図７４において、磁石の配置方法９７〜９７ｂの各具体例を示した。図７３に示すように、磁石の配置方法９７では、左右が異極の複数の磁石１０１ｄを異極同士を向かい合わせて円弧状に配置した回転磁石１０１を示している。また、回転磁石１０１と同じ高さにある固定磁石１００の磁極と回転磁石１０１の磁極１０１ｂは同じ磁極であることを示しており、固定磁石１００と回転磁石１０１が以上のような磁極関係にある場合、回転磁石１０１を取り付けた回転盤９９は反時計回りに回転する。
【０２９４】
図７４に示すように、磁石の配置方法９７ａでは、左右が異極の複数の磁石１０１ｄを異極同士を向かい合わせて隣り合う磁石１０１ｄとの間の非磁性体１０１ｅ（１０２ｄ）の幅を磁石１０１ｄの幅より広く設けて配置した回転磁石１０１を示している。また、回転磁石１０１と同じ高さにある固定磁石１００の磁極と回転磁石１０１の磁極１０１ｂは同じ磁極であることを示しており、固定磁石１００と回転磁石１０１が以上のような磁極関係にある場合、回転磁石１０１を取り付けた回転盤９９は反時計回りに回転する。
【０２９５】
図７４に示すように、磁石の配置方法９７ｂでは、左右が異極の１つの磁石１０１ｄを配置した回転磁石１０１を示している。また、回転磁石１０１と同じ高さにある固定磁石１００の磁極と回転磁石１０１の磁極１０１ｂは同じ磁極であることを示しており、固定磁石１００と回転磁石１０１が以上のような磁極関係にある場合、回転磁石１０１を取り付けた回転盤９９は反時計回りに回転する。尚、磁極１０１ａは磁極１０１ｂとは異極を示しており、符号１０１ｃは回転磁石芯を示している。
【０２９６】
図７４に示すように、磁石の配置方法９７ｃでは、左右が異極の複数の磁石１０２ｅを隣り合う磁石１０２ｅとの間の非磁性体１０２ｄの幅を磁石１０２ｅの幅より広く設けて配置した回転磁石１０２を示している。また、回転磁石１０２と同じ高さにある固定磁石１００の磁極と回転磁石１０２の磁極１０２ｂは同じ磁極であることを示しており、固定磁石１００と回転磁石１０２が以上のような磁極関係にある場合、回転磁石１０２を取り付けた回転盤９９は反時計回りに回転する。尚、磁極１０２ａは磁極１０２ｂとは異極を示しており、符号１０２ｃは回転磁石芯を示している。また、図７３及び図７４の符号９８ａは固定盤軸を示している。
【図面の簡単な説明】
【０２９７】
【図１】本発明である磁気駆動における磁石の配置方法及び磁気駆動装置の磁石の配置状態を示した図である。
【図２】本発明である磁気駆動における磁石の配置方法及び磁気駆動装置の磁石の配置状態の第２実施例を示した図である。
【図３】本発明である磁気駆動における磁石の配置方法及び磁気駆動装置の磁石の配置状態の第３実施例を示した図である。
【図４】本発明である磁気駆動における磁石の配置方法及び磁気駆動装置の磁石の配置状態の第４実施例を示した図である。
【図５】本発明である磁気駆動における磁石の配置方法及び磁気駆動装置の磁石の配置状態の第５実施例を示した図である。
【図６】本発明である磁気駆動における磁石の配置方法及び磁気駆動装置の磁石の配置状態の第６実施例を示した図である。
【図７】本発明である磁気駆動における磁石の配置方法及び磁気駆動装置の磁石の配置状態の第７実施例を示した図である。
【図８】本発明である磁気駆動における磁石の配置方法及び磁気駆動装置の磁石の配置状態の第８実施例を示した図である。
【図９】本発明である磁気駆動における磁石の配置方法及び磁気駆動装置の磁石の配置状態の第９実施例を示した図である。
【図１０】本発明である磁気駆動における磁石の配置方法及び磁気駆動装置の磁石の配置状態の第１０実施例を示した図である。
【図１１】本発明である磁気駆動における磁石の配置方法及び磁気駆動装置の磁石の配置状態の第１１実施例を示した図である。
【図１２】本発明である磁気駆動における磁石の配置方法及び磁気駆動装置の磁石の配置状態の第１２実施例を示した図である。
【図１３】本発明である磁気駆動における磁石の配置方法及び磁気駆動装置の磁石の配置状態の第１３実施例を示した図である。
【図１４】本発明である磁気駆動における磁石の配置方法及び磁気駆動装置の磁石の配置状態の第１４実施例を示した図である。
【図１５】本発明である磁気駆動における磁石の配置方法及び磁気駆動装置の磁石の配置状態の第１５実施例を示した図である。
【図１６】本発明である磁気駆動における磁石の配置方法及び磁気駆動装置の磁石の配置状態の第１６実施例を示した図である。
【図１７】本発明である磁気駆動における磁石の配置方法及び磁気駆動装置の磁石の配置状態の第１７実施例を示した図である。
【図１８】本発明である磁気駆動における磁石の配置方法及び磁気駆動装置の磁石の配置状態の第１８実施例を示した図である。
【図１９】本発明である磁気駆動における磁石の配置方法及び磁気駆動装置の磁石の配置状態の第１９実施例を示した図である。
【図２０】本発明である磁気駆動における磁石の配置方法及び磁気駆動装置の磁石の配置状態の第２０実施例を示した図である。
【図２１】本発明である磁気駆動における磁石の配置方法及び磁気駆動装置の磁石の配置状態の第２１実施例を示した図である。
【図２２】本発明である磁気駆動における磁石の配置方法及び磁気駆動装置の磁石の配置状態の第２２実施例を示した図である。
【図２３】本発明である磁気駆動における磁石の配置方法及び磁気駆動装置の磁石の配置状態の第２３実施例を示した図である。
【図２４】本発明である磁気駆動における磁石の配置方法及び磁気駆動装置の磁石の配置状態の第２４実施例を示した図である。
【図２５】本発明である磁気駆動における磁石の配置方法及び磁気駆動装置の磁石の配置状態の第２５実施例を示した図である。
【図２６】本発明である磁気駆動における磁石の配置方法及び磁気駆動装置の磁石の配置状態の第２６実施例を示した図である。
【図２７】本発明である磁気駆動における磁石の配置方法及び磁気駆動装置の磁石の配置状態の第２７実施例を示した図である。
【図２８】本発明である磁気駆動における磁石の配置方法及び磁気駆動装置の磁石の配置状態の第２８実施例を示した図である。
【図２９】本発明である磁気駆動における磁石の配置方法及び磁気駆動装置の磁石の配置状態の第２９実施例を示した図である。
【図３０】本発明である磁気駆動における磁石の配置方法及び磁気駆動装置の磁石の配置状態の第３０実施例を示した図である。
【図３１】本発明である磁気駆動における磁石の配置方法及び磁気駆動装置の磁石の配置状態の第３１実施例を示した図である。
【図３２】本発明である磁気駆動における磁石の配置方法及び磁気駆動装置の磁石の配置状態の第３２実施例を示した図である。
【図３３】本発明である磁気駆動における磁石の配置方法及び磁気駆動装置の磁石の配置状態の第３３実施例を示した図である。
【図３４】本発明である磁気駆動における磁石の配置方法及び磁気駆動装置の磁石の配置状態の第３４実施例を示した図である。
【図３５】本発明である磁気駆動における磁石の配置方法及び磁気駆動装置の磁石の配置状態の第３５実施例を示した図である。
【図３６】本発明である磁気駆動における磁石の配置方法及び磁気駆動装置の磁石の配置状態の第３６実施例を示した図である。
【図３７】本発明である磁気駆動における磁石の配置方法及び磁気駆動装置の磁石の配置状態の第３７実施例を示した図である。
【図３８】本発明である磁気駆動における磁石の配置方法及び磁気駆動装置の磁石の配置状態の第３８実施例を示した図である。
【図３９】本発明である磁気駆動における磁石の配置方法及び磁気駆動装置の磁石の配置状態の第３９実施例を示した図である。
【図４０】本発明である磁気駆動における磁石の配置方法及び磁気駆動装置の磁石の配置状態の第４０実施例を示した図である。
【図４１】本発明である磁気駆動における磁石の配置方法及び磁気駆動装置の磁石の配置状態の第４１実施例を示した図である。
【図４２】本発明である磁気駆動における磁石の配置方法及び磁気駆動装置の磁石の配置状態の第４２実施例を示した図である。
【図４３】本発明である磁気駆動における磁石の配置方法及び磁気駆動装置の磁石の配置状態の第４３実施例を示した図である。
【図４４】本発明である磁気駆動における磁石の配置方法及び磁気駆動装置の磁石の配置状態の第４４実施例を示した図である。
【図４５】本発明である磁気駆動における磁石の配置方法及び磁気駆動装置の磁石の配置状態の第４５実施例を示した図である。
【図４６】本発明である磁気駆動における磁石の配置方法及び磁気駆動装置の磁石の配置状態の第４６実施例を示した図である。
【図４７】本発明である磁気駆動における磁石の配置方法及び磁気駆動装置の磁石の配置状態の第４７実施例を示した図である。
【図４８】本発明である磁気駆動における磁石の配置方法及び磁気駆動装置の磁石の配置状態の第４８実施例を示した図である。
【図４９】本発明である磁気駆動における磁石の配置方法及び磁気駆動装置の磁石の配置状態の第４９実施例を示した図である。
【図５０】本発明である磁気駆動における磁石の配置方法及び磁気駆動装置の磁石の配置状態の第５０実施例を示した図である。
【図５１】本発明である磁気駆動における磁石の配置方法及び磁気駆動装置の磁石の配置状態の第５１実施例を示した図である。
【図５２】本発明である磁気駆動における磁石の配置方法及び磁気駆動装置の磁石の配置状態の第５２実施例を示した図である。
【図５３】本発明である磁気駆動における磁石の配置方法及び磁気駆動装置の磁石の配置状態の第５３実施例を示した図である。
【図５４】本発明である磁気駆動における磁石の配置方法及び磁気駆動装置の磁石の配置状態の第５４実施例を示した図である。
【図５５】本発明である磁気駆動における磁石の配置方法及び磁気駆動装置の磁石の配置状態の第５５実施例を示した図である。
【図５６】本発明である磁気駆動における磁石の配置方法及び磁気駆動装置の磁石の配置状態の第５６実施例を示した図である。
【図５７】本発明である磁気駆動における磁石の配置方法及び磁気駆動装置の磁石の配置状態の第５７実施例を示した図である。
【図５８】本発明である磁気駆動における磁石の配置方法及び磁気駆動装置の磁石の配置状態の第５８実施例を示した図である。
【図５９】本発明である磁気駆動における磁石の配置方法及び磁気駆動装置の磁石の配置状態の第５９実施例を示した図である。
【図６０】本発明である磁気駆動における磁石の配置方法及び磁気駆動装置の磁石の配置状態の第６０実施例を示した図である。
【図６１】本発明である磁気駆動における磁石の配置方法及び磁気駆動装置の磁気駆動装置を示した図である。
【図６２】本発明である磁気駆動における磁石の配置方法及び磁気駆動装置の磁気駆動装置を示した図である。
【図６３】本発明である磁気駆動における磁石の配置方法及び磁気駆動装置の磁気駆動装置を示した図である。
【図６４】本発明である磁気駆動における磁石の配置方法及び磁気駆動装置の磁石の配置状態の第６２実施例を示した図である。
【図６５】本発明である磁気駆動における磁石の配置方法及び磁気駆動装置の磁石の配置状態の第６３実施例を示した図である。
【図６６】本発明である磁気駆動における磁石の配置方法及び磁気駆動装置の磁石の配置状態の第６４実施例を示した図である。
【図６７】本発明である磁気駆動における磁石の配置方法及び磁気駆動装置の磁石の配置状態の第６４実施例を示した図である。
【図６８】本発明である磁気駆動における磁石の配置方法及び磁気駆動装置の磁石の配置状態の第６５実施例を示した図である。
【図６９】本発明である磁気駆動における磁石の配置方法及び磁気駆動装置の磁石の配置状態の第６６実施例を示した図である。
【図７０】本発明である磁気駆動における磁石の配置方法及び磁気駆動装置の磁石の配置状態の第６６実施例を示した図である。
【図７１】本発明である磁気駆動における磁石の配置方法及び磁気駆動装置の磁石の配置状態の第６７実施例を示した図である。
【図７２】本発明である磁気駆動における磁石の配置方法及び磁気駆動装置の磁石の配置状態の第６７実施例を示した図である。
【図７３】本発明である磁気駆動における磁石の配置方法及び磁気駆動装置の磁石の配置状態の第６８実施例を示した図である。
【図７４】本発明である磁気駆動における磁石の配置方法及び磁気駆動装置の磁石の配置状態の第６８実施例を示した図である。
【符号の説明】
【０２９８】
１      磁石の配置方法
１ａ〜１ｄ  磁石の配置方法
２      固定盤
３      回転盤
３ａ    回転盤軸
４      固定磁石
４ａ    固定磁石芯
４ｂ〜４ｅ    固定磁石
５      回転磁石
５ａ    回転磁石芯
５ｂ    磁極
５ｃ    磁極
６      磁石の配置方法
６ａ〜６ｏ  磁石の配置方法
７      固定盤
８      回転盤
８ａ    回転盤軸
９      固定磁石
１０      回転磁石
１０ａ    磁極
１０ｂ    磁極
１０ｃ    非磁性体
１０ｄ    回転磁石芯
１０ｅ    傾斜面
１１      磁石の配置方法
１１ａ〜１１ｐ  磁石の配置方法
１２      固定盤
１３      回転盤
１３ａ    回転盤軸
１４      固定磁石
１５      回転磁石
１５ａ    磁極
１５ｂ    磁極
１５ｃ    非磁性体
１５ｄ    回転磁石芯
１５ｅ    傾斜面
１６      磁石の配置方法
１６ａ〜１６ｉ  磁石の配置方法
１７      固定盤
１８      回転盤
１８ａ    回転盤軸
１９      固定磁石
２０      回転磁石
２０ａ    磁極
２０ｂ    磁極
２０ｃ    非磁性体
２０ｄ    非磁性体
２０ｅ    平板状の磁石
２１      磁石の配置方法
２１ａ    磁石の配置方法
２１ｂ    磁石の配置方法
２２      固定盤
２３      回転盤
２３ａ    回転盤軸
２４      固定磁石
２５      回転磁石
２５ａ    磁極
２５ｂ    磁極
２５ｅ    平板状の磁石
２６      磁石の配置方法
２６ａ    磁石の配置方法
２６ｂ    磁石の配置方法
２７      固定盤
２８      回転盤
２８ａ    回転盤軸
２９      固定磁石
２９ａ    固定磁石
２９ｂ    回転磁石芯
２９ｃ    回転磁石芯
２９ｄ    回転磁石
２９ｅ    回転磁石芯
２９ｆ    回転磁石
２９ｇ    回転磁石
２９ｈ    回転磁石芯
２９ｉ    回転磁石芯
３０      回転磁石
３０ａ    磁極
３０ｂ    磁極
３１      磁石の配置方法
３２      固定盤
３３      回転盤
３３ａ    回転盤軸
３４      固定磁石
３４ａ    磁極
３４ｂ    磁極
３５      回転磁石
３５ａ    回転磁石
３５ｂ    回転磁石芯
３５ｃ    回転磁石芯
３５ｄ    回転磁石
３５ｅ    回転磁石芯
３５ｆ    回転磁石
３５ｇ    回転磁石
３５ｈ    回転磁石芯
３５ｉ    回転磁石芯
３６      磁石の配置方法
３７      固定盤
３８      回転盤
３８ａ    回転盤軸
３９      固定磁石
３９ａ    固定磁石芯
４０      回転磁石
４０ａ    磁極
４０ｂ    磁極
４１      磁石の配置方法
４２      固定盤
４３      回転盤
４３ａ    回転盤軸
４４      固定磁石
４４ａ    磁極
４４ｂ    磁極
４５      回転磁石
４５ａ    回転磁石芯
４６      磁気駆動装置
４６ａ    磁気駆動装置
４６ｂ    磁気駆動装置
４７      固定盤
４７ａ    軸受け
４８      回転盤
４８ａ    回転盤軸
４８ｂ    接合部
４９      固定磁石
４９ａ    磁極
４９ｂ    磁極
５０      回転磁石
５０ａ    磁極
５０ｂ    磁極
５１      固定盤
５１ａ    軸受け
５２      回転盤
５２ａ    回転盤軸
５２ｂ    接合部
５３      固定磁石
５３ａ    磁極
５３ｂ    磁極
５４      回転磁石
５４ａ    磁極
５４ｂ    磁極
５５      固定盤
５５ａ    軸受け
５６      回転盤
５６ａ    回転盤軸
５６ｂ    接合部
５７      固定磁石
５７ａ    磁極
５７ｂ    磁極
５８      回転磁石
５８ａ    磁極
５８ｂ    磁極
５９      磁石の配置方法
６０      固定盤
６１      回転盤
６１ａ    回転盤軸
６２      固定磁石
６３      回転磁石
６３ａ    磁極
６３ｂ    磁極
６３ｃ    非磁性体
６４      磁石の配置方法
６５      固定盤
６５ａ    固定盤軸
６６      回転盤
６６ａ    回転盤軸
６７      固定磁石
６７ａ    固定磁石芯
６８      回転磁石
６８ａ    回転磁石芯
６８ｂ    磁極
６８ｃ    磁極
６９      磁石の配置方法
７０      固定盤
７０ａ    固定盤軸
７１      回転盤
７１ａ    回転盤軸
７２      固定磁石
７２ａ    固定磁石芯
７２ｂ    磁石
７３      回転磁石
７３ａ    回転磁石芯
７３ｂ    磁極
７３ｃ    磁極
７３ｄ    非磁性体
７４      磁石の配置方法
７４ａ    磁石の配置方法
７５      固定盤
７５ａ    固定盤軸
７６      回転盤
７６ａ    回転盤軸
７７      固定磁石
７７ａ    固定磁石芯
７８      回転磁石
７８ａ    回転磁石芯
７８ｂ    磁極
７８ｃ    磁極
７８ｄ    回転磁石
７８ｅ    磁極
７８ｆ    磁極
７８ｇ    非磁性体
７９      磁石の配置方法
８０      固定盤
８０ａ    固定盤軸
８１      回転盤
８１ａ    回転盤軸
８２      固定磁石
８３      回転磁石
８３ａ    回転磁石芯
８３ｂ    磁極
８３ｃ    磁極
８３ｄ    非磁性体
８４〜８４ｇ  磁石の配置方法
８５      固定盤
８５ａ    固定盤軸
８６      回転盤
８６ａ    回転盤軸
８７      固定磁石
８７ａ    固定磁石芯
８８      回転磁石
８８ａ    回転磁石芯
８８ｂ    磁極
８８ｃ    磁極
８９      回転磁石
８９ａ    回転磁石芯
８９ｂ    磁極
８９ｃ    磁極
９０      回転磁石
９０ａ    回転磁石芯
９０ｂ    磁極
９０ｃ    磁極
９０ｄ    非磁性体
９０ｅ    磁石
９１      回転磁石
９１ａ    回転磁石芯
９１ｂ    磁極
９１ｃ    磁極
９１ｄ    非磁性体
９１ｅ    磁石
９２〜９２ｄ  磁石の配置方法
９３      固定盤
９３ａ    固定盤軸
９４      回転盤
９４ａ    回転盤軸
９４ｂ    回転盤直径線
９５      固定磁石
９５ａ    固定磁石芯
９６      回転磁石
９６ａ    磁極
９６ｂ    磁極
９６ｃ    非磁性体
９７〜９７ｄ  磁石の配置方法
９８      固定盤
９８ａ    固定盤軸
９９      回転盤
９９ａ    回転盤軸
１００      固定磁石
１００ａ    固定磁石芯
１０１      回転磁石
１０１ａ    磁極
１０１ｂ    磁極
１０１ｃ    回転磁石芯
１０１ｄ    磁石
１０１ｅ    非磁性体
１０２      回転磁石
１０２ａ    磁極
１０２ｂ    磁極
１０２ｃ    回転磁石芯
１０２ｄ    非磁性体
１０２ｅ    磁石
【図１】
0005508666.tif 000002
【図２】
0005508666.tif 000003
【図３】
0005508666.tif 000004
【図４】
0005508666.tif 000005
【図５】
0005508666.tif 000006
【図６】
0005508666.tif 000007
【図７】
0005508666.tif 000008
【図８】
0005508666.tif 000009
【図９】
0005508666.tif 000010
【図１０】
0005508666.tif 000011
【図１１】
0005508666.tif 000012
【図１２】
0005508666.tif 000013
【図１３】
0005508666.tif 000014
【図１４】
0005508666.tif 000015
【図１５】
0005508666.tif 000016
【図１６】
0005508666.tif 000017
【図１７】
0005508666.tif 000018
【図１８】
0005508666.tif 000019
【図１９】
0005508666.tif 000020
【図２０】
0005508666.tif 000021
【図２１】
0005508666.tif 000022
【図２２】
0005508666.tif 000023
【図２３】
0005508666.tif 000024
【図２４】
0005508666.tif 000025
【図２５】
0005508666.tif 000026
【図２６】
0005508666.tif 000027
【図２７】
0005508666.tif 000028
【図２８】
0005508666.tif 000029
【図２９】
0005508666.tif 000030
【図３０】
0005508666.tif 000031
【図３１】
0005508666.tif 000032
【図３２】
0005508666.tif 000033
【図３３】
0005508666.tif 000034
【図３４】
0005508666.tif 000035
【図３５】
0005508666.tif 000036
【図３６】
0005508666.tif 000037
【図３７】
0005508666.tif 000038
【図３８】
0005508666.tif 000039
【図３９】
0005508666.tif 000040
【図４０】
0005508666.tif 000041
【図４１】
0005508666.tif 000042
【図４２】
0005508666.tif 000043
【図４３】
0005508666.tif 000044
【図４４】
0005508666.tif 000045
【図４５】
0005508666.tif 000046
【図４６】
0005508666.tif 000047
【図４７】
0005508666.tif 000048
【図４８】
0005508666.tif 000049
【図４９】
0005508666.tif 000050
【図５０】
0005508666.tif 000051
【図５１】
0005508666.tif 000052
【図５２】
0005508666.tif 000053
【図５３】
0005508666.tif 000054
【図５４】
0005508666.tif 000055
【図５５】
0005508666.tif 000056
【図５６】
0005508666.tif 000057
【図５７】
0005508666.tif 000058
【図５８】
0005508666.tif 000059
【図５９】
0005508666.tif 000060
【図６０】
0005508666.tif 000061
【図６１】
0005508666.tif 000062
【図６２】
0005508666.tif 000063
【図６３】
0005508666.tif 000064
【図６４】
0005508666.tif 000065
【図６５】
0005508666.tif 000066
【図６６】
0005508666.tif 000067
【図６７】
0005508666.tif 000068
【図６８】
0005508666.tif 000069
【図６９】
0005508666.tif 000070
【図７０】
0005508666.tif 000071
【図７１】
0005508666.tif 000072
【図７２】
0005508666.tif 000073
【図７３】
0005508666.tif 000074
【図７４】
0005508666.tif 000075